(57)【要約】【課題】  本発明は、アレイ導波路回折格子等のパス設定回路による波長ルーティング特性を利用して、アレイ導波路回折格子等パス設定回路に接続された通信端末を信頼性高く、柔軟に接続することのできる光通信方式を構成することを目的とする。【解決手段】  上記目的を達成するために、本発明は、信号出力ポート、信号入力ポート対を有する複数の通信端末と、複数の光入力ポート及び複数の光出力ポートを有し、それぞれの光入力ポートから入力された光信号が該光信号の波長に応じて所定の光出力ポートに出力されるように設定された複数のパス設定回路と、を含む光通信方式である。【選択図】  図１
2005117603.tif 000002
【特許請求の範囲】
【請求項１】
信号出力ポート、信号入力ポート対を有する複数の通信端末と、
複数の光入力ポート及び複数の光出力ポートを有し、それぞれの光入力ポートから入力された光信号が該光信号の波長に応じて所定の光出力ポートに出力されるように設定された複数のパス設定回路と、
を含む光通信方式であって、
複数の通信端末とパス設定回路とは、それぞれの通信端末の信号出力ポート、信号入力ポート対とパス設定回路の光入力ポート、光出力ポートとが接続され、パス設定回路と他のパス設定回路とは、パス設定回路の光入力ポートと他のパス設定回路の光出力ポートとが、パス設定回路の光出力ポートと他のパス設定回路の光入力ポートとが接続されたことを特徴とする光通信方式。
【請求項２】
請求項１に記載の光通信方式において、前記複数の通信端末の接続形態が論理的リングトポロジを形成するように、それぞれの通信端末の信号出力ポートからの光信号の波長が配置されていることを特徴とする光通信方式。
【請求項３】
請求項１または２に記載の光通信方式において、異なる数の光入力ポート及び複数の光出力ポートを有するパス設定回路が接続されていることを特徴とする光通信方式。
【請求項４】
請求項１乃至３に記載の光通信方式において、パス設定回路の光出力ポートと他のパス設定回路の光入力ポートとが通信端末を介して接続されたことを特徴とする光通信方式。
【請求項５】
請求項４に記載の光通信方式において、一部の通信端末が波長変換機能を有する中継器に置き換えられたことを特徴とする光通信方式。
【請求項６】
信号出力ポート、信号入力ポート対を有する複数の通信端末と、
１の光入力ポートからの光信号を複数の光出力ポートのいずれかに方路を設定する複数の光スイッチと、
複数の光入力ポートからの光信号を合波して１の光出力ポートに出力する複数の光合波器と、
複数の光入力ポート及び複数の光出力ポートを有し、それぞれの光入力ポートから入力された光信号が該光信号の波長に応じて所定の光出力ポートに出力されるように設定されたパス設定回路と、
を組として、複数の組を含む光通信方式であって、
前記複数の組の中で、それぞれの前記通信端末の信号出力ポートは対応する前記光スイッチの光入力ポートに接続され、それぞれの前記光スイッチの光出力ポートは対応する前記光合波器の光入力ポートに接続され、それぞれの前記光合波器の光出力ポートは前記パス設定回路の対応する光入力ポートに接続され、前記パス設定回路の出力ポートは対応する前記通信端末の信号入力ポートに接続されていることを特徴とする光通信方式。
【請求項７】
信号出力ポート、信号入力ポート対を有する複数の通信端末と、
１の光入力ポートからの光信号を分流して複数の光出力ポートに出力する複数の光分流器と、
複数の光入力ポートのいずれかからの光信号を１の光出力ポートに方路を設定する複数の光スイッチと、
複数の光入力ポート及び複数の光出力ポートを有し、それぞれの光入力ポートから入力された光信号が該光信号の波長に応じて所定の光出力ポートに出力されるように設定されたパス設定回路と、
を組として、複数の組を含む光通信方式であって、
前記複数の組の中で、それぞれの前記通信端末の信号出力ポートは対応する前記光分流器の光入力ポートに接続され、それぞれの前記光分流器の光出力ポートは対応する前記光スイッチの光入力ポートに接続され、それぞれの前記光スイッチの光出力ポートは前記パス設定回路の対応する光入力ポートに接続され、前記パス設定回路の出力ポートは対応する前記通信端末の信号入力ポートに接続されていることを特徴とする光通信方式。
【請求項８】
請求項６又は７に記載の光通信方式において、複数の前記通信端末の接続形態が論理的リングトポロジを形成するように、それぞれの通信端末の信号出力ポートの波長が配置され、前記光スイッチの方路が設定されていることを特徴とする光通信方式。
【請求項９】
請求項６乃至８に記載の前記パス設定回路が、アレイ導波路回折格子で構成されていることを特徴とする光通信方式。
【請求項１０】
請求項６乃至９に記載の前記通信端末の出力光源が波長可変光源で構成されていることを特徴とする光通信方式。
【請求項１１】
請求項６乃至１０に記載の光通信方式において、前記組によって異なる数の光入力ポート及び複数の光出力ポートを有するパス設定回路が接続されていることを特徴とする光通信方式。
【請求項１２】
請求項６乃至１１に記載の光通信方式において、一部の通信端末が波長変換機能を有する中継器に置き換えられたことを特徴とする光通信方式。
【請求項１３】
請求項２または請求項８のいずれかに記載の光通信方式において、
前記通信端末は、各通信端末の情報を載せたデータ光信号が前記論理的リングトポロジ上の各通信端末を周回するように前記データ光信号を送受信する手段と、
受信した前記データ光信号の情報を格納するためのメモリと、
前記データ光信号の情報を前記メモリに書き込み、および、送信する前記データ光信号に情報を付与する転送手段を具備していることを特徴とする光通信方式。
【請求項１４】
請求項１及至請求項１３に記載の通信方式において、各通信端末の状態を監視及び制御するための管理端末を具備し、前記各通信端末と前記管理端末は前記データ光信号とは異なる波長の光信号で通信することを特徴とする光通信方式。
【請求項１５】
請求項１４に記載の通信方式において、前記管理端末は、各通信端末から送信された障害検出情報に基づき障害箇所を特定し、該障害箇所を回避する波長設定情報を各通信端末へ送出し、
前記波長設定情報を受信した通信端末は、該波長設定情報を基に波長可変光源の出力波長を設定することを特徴とする光通信方式。
【請求項１６】
信号出力ポート、信号入力ポート対を有する複数の通信端末間において通信を行うための光通信システムであって、
複数の光入力ポート及び複数の光出力ポートを有し、それぞれの光入力ポートから入力された光信号が該光信号の波長に応じて所定の光出力ポートに出力されるように予め設定されたパス設定回路と、
前記パス設定回路における所定の光入力ポートから光出力ポートへ信号出力する場合に使用する出力波長が予め記憶されたデータベースと、
通信端末から接続要求を含む制御情報を受信し、前記データベースを参照して該通信端末が設定すべき出力波長を読み出し、該出力波長指示の制御情報を接続要求を送信した通信端末に対し送信する制御手段と
を備え、
前記複数の通信端末と前記パス設定回路とは、それぞれの通信端末の信号出力ポート、信号入力ポート対とパス設定回路の光入力ポート、光出力ポートとが接続され、１のパス設定回路と他のパス設定回路とは、該１のパス設定回路の光入力ポートと他のパス設定回路の光出力ポートとが接続されるとともに、該１のパス設定回路の光出力ポートと他のパス設定回路の光入力ポートとが接続されたことを特徴とする光通信方式。
【請求項１７】
信号出力ポート、信号入力ポート対を有する複数の通信端末間において通信を行うための光通信システムであって、
１の光入力ポートからの光信号を複数の光出力ポートのいずれかに出力する方路を設定する複数の光スイッチと、
複数の光入力ポートからの光信号を合波して１の光出力ポートに出力する複数の光合波器と、
複数の光入力ポート及び複数の光出力ポートを有し、それぞれの光入力ポートから入力された光信号が該光信号の波長に応じて所定の光出力ポートに出力されるように設定されたパス設定回路と、
を組とした複数の組を備えるとともに、
前記光スイッチの光入力ポート及び光出力ポートに接続されている機器情報と、前記パス設定回路における所定の光入力ポートから光出力ポートへ信号出力する場合に使用する出力波長とが予め記憶されたデータベースと、
通信端末から接続要求を含む制御情報を受信し、前記データベースを参照し、該通信端末が設定すべき出力波長を読み出し、該出力波長指示の制御情報を接続要求を送信した通信端末に対し送信するとともに、前記光スイッチの方路の設定を制御する制御手段と
を備え、
前記複数の組の中で、それぞれの前記通信端末の信号出力ポートは対応する前記光スイッチの光入力ポートに接続され、それぞれの前記光スイッチの光出力ポートは対応する前記光合波器の光入力ポートに接続され、それぞれの前記光合波器の光出力ポートは前記パス設定回路の対応する光入力ポートに接続され、前記パス設定回路の出力ポートは対応する前記通信端末の信号入力ポートに接続されていることを特徴とする光通信方式。
【請求項１８】
信号出力ポート、信号入力ポート対を有する複数の通信端末間において通信を行うための光通信システムであって、
１の光入力ポートからの光信号を分流して複数の光出力ポートに出力する複数の光分流器と、
複数の光入力ポートのいずれかからの光信号を１の光出力ポートに出力する方路を設定する複数の光スイッチと、
複数の光入力ポート及び複数の光出力ポートを有し、それぞれの光入力ポートから入力された光信号が該光信号の波長に応じて所定の光出力ポートに出力されるように設定されたパス設定回路と、
を組とした複数の組を備えるとともに、
前記光スイッチの光入力ポート及び光出力ポートに接続されている機器情報と、前記パス設定回路における所定の光入力ポートから光出力ポートへ信号出力する場合に使用する出力波長とが予め記憶されたデータベースと、
通信端末から接続要求を含む制御情報を受信し、前記データベースを参照し、該通信端末が設定すべき出力波長を読み出し、該出力波長指示の制御情報を接続要求を送信した通信端末に対し送信するとともに、前記光スイッチの方路の設定を制御する制御手段と
を備え、
前記複数の組の中で、それぞれの前記通信端末の信号出力ポートは対応する前記光分流器の光入力ポートに接続され、それぞれの前記光分流器の光出力ポートは対応する前記光スイッチの光入力ポートに接続され、それぞれの前記光スイッチの光出力ポートは前記パス設定回路の対応する光入力ポートに接続され、前記パス設定回路の出力ポートは対応する前記通信端末の信号入力ポートに接続されていることを特徴とする光通信方式。
【発明の詳細な説明】
【技術分野】
【０００１】
本発明は、通信端末を接続する光通信方式に関する。特に、アレイ導波路回折格子等を用いた波長ルーティング特性を利用して、通信端末を信頼性高く、柔軟に接続することのできる光通信方式に関する。
【背景技術】
【０００２】
通信端末を接続する光通信方式としては、それぞれの通信端末を物理的にリング状に接続するトークンリング光通信方式がある（例えば、非特許文献１参照）。また、通信端末に実装されたメモリをリングネットワーク上でシリアル接続して、通信端末間をホッピングさせることによって、各通信端末間のメモリを共有する光通信方式もある（例えば、非特許文献２参照）。
【０００３】
これらの光通信方式では、各通信端末が、送信回路、受信回路を配置し、総ての通信端末を順に光ファイバ等の光導波路で接続するだけでネットワークを構成することができる。しかしながら、光ファイバの断線や通信端末の故障によって障害が発生した場合、障害を検知した通信端末が障害信号を発出し、各通信端末は所属ネットワークから一時退避し、障害のあるエリア周辺のネットワークを再構成するために自動診断を試みる。自動診断を試みると、ネットワークに接続された他の総ての通信端末が影響を受け、通信断が発生してしまうという欠点があった。また、光ファイバでリングネットワークを二重化したトークンリング光通信方式としてＦＤＤＩがある。ＦＤＤＩでは、障害発生時では冗長化した光ファイバを使うことによって反対回りの経路を実現可能であるが、２箇所以上の通信端末で通信障害が発生すると、論理的リングトポロジを形成することができなくなるため、障害の発生していない通信端末が孤立してしまう欠点があった。
【０００４】
また、リングネットワークに収容された各通信端末が有するメモリを共有することも考えられるが、上記の欠点のため、これに代わる信頼性の高い光通信方式が必要となった。
【非特許文献１】「IEEE 802.5 Documents, 802.5c-1991(R1997) Supplement to IEEE Std 802.5-1989」、<URL: http://www.8025.org/documents/>
【非特許文献２】「オプティカルチャネル対応ＰＭＣカード」、<URL:http://avaldata.com/avaldata/product/module_prooduct/giga/apm425/apm425.html>
【発明の開示】
【発明が解決しようとする課題】
【０００５】
本発明は、上記欠点を除去するために、アレイ導波路回折格子等のパス設定回路による波長ルーティング特性を利用して、アレイ導波路回折格子等パス設定回路に接続された通信端末を信頼性高く、柔軟に接続することのできる光通信方式を構成することを目的とする。
【課題を解決するための手段】
【０００６】
前述した目的を達成するために、本願第一の発明は、信号出力ポート、信号入力ポート対を有する複数の通信端末と、複数の光入力ポート及び複数の光出力ポートを有し、それぞれの光入力ポートから入力された光信号が該光信号の波長に応じて所定の光出力ポートに出力されるように設定された複数のパス設定回路と、を含む光通信方式であって、複数の通信端末とパス設定回路とは、それぞれの通信端末の信号出力ポート、信号入力ポート対とパス設定回路の光入力ポート、光出力ポートとが接続され、パス設定回路と他のパス設定回路とは、パス設定回路の光入力ポートと他のパス設定回路の光出力ポートとが、パス設定回路の光出力ポートと他のパス設定回路の光入力ポートとが接続された光通信方式である。
【０００７】
本願第二の発明は、本願第一の発明の光通信方式において、前記複数の通信端末の接続形態が論理的リングトポロジを形成するように、それぞれの通信端末の信号出力ポートからの光信号の波長が配置されていることを特徴とする光通信方式である。
【０００８】
本願第三の発明は、本願第一発明又は第二発明の光通信方式において、異なる数の光入力ポート及び複数の光出力ポートを有するパス設定回路が接続されていることを特徴とする光通信方式。
【０００９】
本願第四の発明は、本願第一乃至第三発明の光通信方式において、パス設定回路の光出力ポートと他のパス設定回路の光入力ポートとが通信端末を介して接続されたことを特徴とする光通信方式である。
【００１０】
本願第五の発明は、本願第四発明の光通信方式において、一部の通信端末が波長変換機能を有する中継器に置き換えられたことを特徴とする光通信方式である。
【００１１】
本願第六の発明は、信号出力ポート、信号入力ポート対を有する複数の通信端末と、１の光入力ポートからの光信号を複数の光出力ポートのいずれかに方路を設定する複数の光スイッチと、複数の光入力ポートからの光信号を合波して１の光出力ポートに出力する複数の光合波器と、複数の光入力ポート及び複数の光出力ポートを有し、それぞれの光入力ポートから入力された光信号が該光信号の波長に応じて所定の光出力ポートに出力されるように設定されたパス設定回路と、を組として、複数の組を含む光通信方式であって、前記複数の組の中で、それぞれの前記通信端末の信号出力ポートは対応する前記光スイッチの光入力ポートに接続され、それぞれの前記光スイッチの光出力ポートは対応する前記光合波器の光入力ポートに接続され、それぞれの前記光合波器の光出力ポートは前記パス設定回路の対応する光入力ポートに接続され、前記パス設定回路の出力ポートは対応する前記通信端末の信号入力ポートに接続されていることを特徴とする。
【００１２】
本願第七の発明は、信号出力ポート、信号入力ポート対を有する複数の通信端末と、１の光入力ポートからの光信号を分流して複数の光出力ポートに出力する複数の光分流器と、複数の光入力ポートのいずれかからの光信号を１の光出力ポートに方路を設定する複数の光スイッチと、複数の光入力ポート及び複数の光出力ポートを有し、それぞれの光入力ポートから入力された光信号が該光信号の波長に応じて所定の光出力ポートに出力されるように設定されたパス設定回路と、を組として、複数の組を含む光通信方式であって、前記複数の組の中で、それぞれの前記通信端末の信号出力ポートは対応する前記光分流器の光入力ポートに接続され、それぞれの前記光分流器の光出力ポートは対応する前記光スイッチの光入力ポートに接続され、それぞれの前記光スイッチの光出力ポートは前記パス設定回路の対応する光入力ポートに接続され、前記パス設定回路の出力ポートは対応する前記通信端末の信号入力ポートに接続されていることを特徴とする。
【００１３】
本願第八の発明は、本願第六又は第七発明の光通信方式において、複数の前記通信端末の接続形態が論理的リングトポロジを形成するように、それぞれの通信端末の信号出力ポートの波長が配置され、前記光スイッチの方路が設定されていることを特徴とする光通信方式である。
【００１４】
本願第九の発明は、本願第六乃至第八発明の前記パス設定回路が、アレイ導波路回折格子で構成されていることを特徴とする光通信方式である。
【００１５】
本願第十の発明は、本願第六乃至第九発明の前記通信端末の出力光源が波長可変光源で構成されていることを特徴とする光通信方式である。
【００１６】
本願第十一の発明は、本願第六乃至第十発明の光通信方式において、前記組によって異なる数の光入力ポート及び複数の光出力ポートを有するパス設定回路が接続されていることを特徴とする光通信方式である。
【００１７】
本願第十二の発明は、本願第六乃至第十一発明の光通信方式において、一部の通信端末が波長変換機能を有する中継器に置き換えられたことを特徴とする光通信方式である。
【００１８】
本願第十三の発明は、本願第二乃至第八発明の光通信方式において、前記通信端末は、各通信端末の情報を載せたデータ光信号が前記論理的リングトポロジ上の各通信端末を周回するように前記データ光信号を送受信する手段と、受信した前記データ光信号の情報を格納するためのメモリと、前記データ光信号の情報を前記メモリに書き込み、および、送信する前記データ光信号に情報を付与する転送手段を具備していることを特徴とする。
【００１９】
本願第十四の発明は、本願第一乃至第十三発明の通信方式において、各通信端末の状態を監視及び制御するための管理端末を具備し、前記各通信端末と前記管理端末は前記データ光信号とは異なる波長の光信号で通信することを特徴とする。
【００２０】
本願第十五の発明は、本願第十四発明の通信方式において、前記管理端末は、各通信端末から送信された障害検出情報に基づき障害箇所を特定し、該障害箇所を回避する波長設定情報を各通信端末へ送出し、前記波長設定情報を受信した通信端末は、該波長設定情報を基に波長可変光源の出力波長を設定することを特徴とする。
【００２１】
本願第十六の発明は、信号出力ポート、信号入力ポート対を有する複数の通信端末間において通信を行うための光通信方式であって、複数の光入力ポート及び複数の光出力ポートを有し、それぞれの光入力ポートから入力された光信号が該光信号の波長に応じて所定の光出力ポートに出力されるように予め設定されたパス設定回路と、前記パス設定回路における所定の光入力ポートから光出力ポートへ信号出力する場合に使用する出力波長が予め記憶されたデータベースと、通信端末から接続要求を含む制御情報を受信し、前記データベースを参照して該通信端末が設定すべき出力波長を読み出し、該出力波長指示の制御情報を接続要求を送信した通信端末に対し送信する制御手段とを備え、複数の通信端末とパス設定回路とは、それぞれの通信端末の信号出力ポート、信号入力ポート対とパス設定回路の光入力ポート、光出力ポートとが接続され、パス設定回路と他のパス設定回路とは、パス設定回路の光入力ポートと他のパス設定回路の光出力ポートとが、パス設定回路の光出力ポートと他のパス設定回路の光入力ポートとが接続されたことを特徴とする。
【００２２】
本願第十七の発明は、信号出力ポート、信号入力ポート対を有する複数の通信端末間において通信を行うための光通信方式であって、１の光入力ポートからの光信号を複数の光出力ポートのいずれかに方路を設定する複数の光スイッチと、複数の光入力ポートからの光信号を合波して１の光出力ポートに出力する複数の光合波器と、複数の光入力ポート及び複数の光出力ポートを有し、それぞれの光入力ポートから入力された光信号が該光信号の波長に応じて所定の光出力ポートに出力されるように設定されたパス設定回路と、前記光スイッチの光入力ポート及び光出力ポートに接続されている機器情報と、前記パス設定回路における所定の光入力ポートから光出力ポートへ信号出力する場合に使用する出力波長とが予め記憶されたデータベースと、通信端末から接続要求を含む制御情報を受信し、前記データベースを参照し、該通信端末が設定すべき出力波長を読み出し、該出力波長指示の制御情報を接続要求を送信した通信端末に対し送信するとともに、前記光スイッチの方路の設定を制御する制御手段とを備え、前記複数の組の中で、それぞれの前記通信端末の信号出力ポートは対応する前記光スイッチの光入力ポートに接続され、それぞれの前記光スイッチの光出力ポートは対応する前記光合波器の光入力ポートに接続され、それぞれの前記光合波器の光出力ポートは前記パス設定回路の対応する光入力ポートに接続され、前記パス設定回路の出力ポートは対応する前記通信端末の信号入力ポートに接続されていることを特徴とする。
【００２３】
本願第十八の発明は、信号出力ポート、信号入力ポート対を有する複数の通信端末間において通信を行うための光通信方式であって、１の光入力ポートからの光信号を分波して複数の光出力ポートに出力する複数の光分波器と、複数の光入力ポートのいずれかからの光信号を１の光出力ポートに方路を設定する複数の光スイッチと、複数の光入力ポート及び複数の光出力ポートを有し、それぞれの光入力ポートから入力された光信号が該光信号の波長に応じて所定の光出力ポートに出力されるように設定されたパス設定回路と、前記光スイッチの光入力ポート及び光出力ポートに接続されている機器情報と、前記パス設定回路における所定の光入力ポートから光出力ポートへ信号出力する場合に使用する出力波長とが予め記憶されたデータベースと、通信端末から接続要求を含む制御情報を受信し、前記データベースを参照し、該通信端末が設定すべき出力波長を読み出し、該出力波長指示の制御情報を接続要求を送信した通信端末に対し送信するとともに、前記光スイッチの方路の設定を制御する制御手段とを備え、前記複数の組の中で、それぞれの前記通信端末の信号出力ポートは対応する前記光分波器の光入力ポートに接続され、それぞれの前記光分波器の光出力ポートは対応する前記光スイッチの光入力ポートに接続され、それぞれの前記光スイッチの光出力ポートは前記パス設定回路の対応する光入力ポートに接続され、前記パス設定回路の出力ポートは対応する前記通信端末の信号入力ポートに接続されていることを特徴とする。
【００２４】
なお、これらの各構成は、可能な限り組み合わせることができる。
ここで、通信端末とは、入力された光信号を受信処理して、通信処理をした後に、所定の波長で光信号を出力する装置をいう。論理的リングトポロジとは、論理的な接続がリング状になる形態をいう。アレイ導波路回折格子とは、石英やシリコン等の基板上に光導波路が形成された受動機能素子をいう。アレイ導波路回折格子によって、パス設定変更機能、波長選択機能等が実現できる。波長可変光源とは、出力する光信号の波長を制御して変更することのできる光源をいう。中継器とは、ＯＳＩ基本参照モデルにおけるレイヤ１以下の通信処理をし、入力された光信号を受信処理して、所定の波長で光信号を出力する装置をいう。出力する光信号の波長を入力する光信号の波長とは変えることによって、中継器には波長変換機能を持たせることができる。
【発明の効果】
【００２５】
本発明によれば、アレイ導波路回折格子等のパス設定回路による波長ルーティング特性を利用して、アレイ導波路回折格子等パス設定回路に接続された通信端末を信頼性高く、柔軟に接続することのできる光通信方式を構成することが可能となる。
【発明を実施するための最良の形態】
【００２６】
以下、本願発明の実施の形態について、添付の図面を参照して説明する。
（実施の形態１）
８個の通信端末を４対の光入力ポート、光出力ポートを有する３個のパス設定回路で収容する光通信方式を図１で説明する。図１において、１０１〜１０３はパス設定回路、２０１〜２０８は通信端末、３０１〜３０８はそれぞれ通信端末２０１〜２０８の出力回路、４０１〜４０８はそれぞれ通信端末２０１〜２０８の入力回路である。
【００２７】
通信端末２０１〜２０８は、それぞれ１の出力回路と入力回路対を有し、１の出力回路と入力回路対に１の信号出力ポート、信号入力ポート対を備え、信号入力ポートへの光信号を受信処理し、さらに、通信処理をした後に信号出力ポートから光信号を出力する。パス設定回路１０１〜１０３は、複数の光入力ポート、光出力ポート対を有し、それぞれの光入力ポートから入力された光信号の波長に応じて所定の光出力ポートに出力されるように設定されている。パス設定回路としては、アレイ導波路回折格子（ＡＷＧ： Arrayed Waveguide Grating）等が適用できる。
【００２８】
図１において、パス設定回路１０１、パス設定回路１０２、パス設定回路１０３はこれらの光入力ポート、光出力ポート対を通して従属接続され、パス設定回路１０１には通信端末２０１、２０２、２０３が収容され、パス設定回路１０２には通信端末２０４、２０５が収容され、パス設定回路１０３には通信端末２０６、２０７、２０８が収容されている。図１に示すように、パス設定回路において光入力ポートから隣接する光出力ポートにパスの設定がされるよう、それぞれの通信端末の信号出力ポートからの光信号の波長を配置している。
【００２９】
通信端末２０１の出力回路３０１からの光信号は通信端末２０２の入力回路４０２に入力され受信処理をし、通信端末２０２で通信処理をした後に出力回路３０２から光信号を出力する。
【００３０】
通信端末２０２の出力回路３０２からの光信号は、パス設定回路１０１の光出力ポートからパス設定回路１０２の光入力ポートを経由して、通信端末２０４の入力回路４０４に入力され受信処理をし、通信端末２０４で通信処理をした後に出力回路３０４から光信号を出力する。
【００３１】
通信端末２０４の出力回路３０４からの光信号は、パス設定回路１０２の光出力ポートからパス設定回路１０３の光入力ポートを経由して、通信端末２０６の入力回路４０６に入力され受信処理をし、通信端末２０６で通信処理をした後に出力回路３０６から光信号を出力する。
【００３２】
通信端末２０６の出力回路３０６からの光信号は通信端末２０７の入力回路４０７に入力され受信処理をし、通信端末２０７で通信処理をした後に出力回路３０７から光信号を出力する。
【００３３】
通信端末２０７の出力回路３０７からの光信号は通信端末２０８の入力回路４０８に入力され受信処理をし、通信端末２０８で通信処理をした後に出力回路３０８から光信号を出力する。
【００３４】
通信端末２０８の出力回路３０８からの光信号は、パス設定回路１０３の光出力ポートからパス設定回路１０２の光入力ポートを経由して、通信端末２０５の入力回路４０５に入力され受信処理をし、通信端末２０５で通信処理をした後に出力回路３０５から光信号を出力する。
【００３５】
通信端末２０５の出力回路３０５からの光信号は、パス設定回路１０２の光出力ポートからパス設定回路１０１の光入力ポートを経由して、通信端末２０３の入力回路４０３に入力され受信処理をし、通信端末２０３で通信処理をした後に出力回路３０３から光信号を出力する。
【００３６】
通信端末２０３の出力回路３０３からの光信号は通信端末２０１の入力回路４０１に入力され受信処理をし、通信端末２０１で通信処理をする。
【００３７】
このように、通信端末の接続が一巡することによって、通信端末２０１から通信端末２０２、通信端末２０４、通信端末２０６、通信端末２０７、通信端末２０８、通信端末２０５、通信端末２０３、通信端末２０１へとこれらの通信端末の接続形態が論理的リングトポロジを形成する。
【００３８】
ここで、パス設定回路において、図１に示すような、光入力ポートから隣接する光出力ポートにパスの設定がされるよう、それぞれの通信端末の信号出力ポートからの光信号の波長を配置する方法について説明する。
【００３９】
パス設定回路の構成を図２に示す。図２において、１０１はパス設定回路、１１、１２、１３、１４は光入力ポート、２１、２２、２３、２４は光出力ポートである。図３、図４に光入力ポートから入力された光信号がその波長に応じて、どの光出力ポートに出力されるかの波長ルーティング特性を示す。図３は波長周回性のない場合であり、図４は波長周回性のある場合である。このような、特性はアレイ導波路回折格子で構成すると実現することができる。波長周回性のあるパス設定回路では、それぞれの通信端末で使用する波長の数が少なくてもよい。
【００４０】
例えば、波長周回性のないアレイ導波路回折格子では、図３の斜線部で示したように、光入力ポート１１からλ２の波長の光信号を入力すると、光出力ポート２２に出力する。光入力ポート１２からλ４の波長の光信号を入力すると、光出力ポート２３に出力する。光入力ポート１３からλ６の波長の光信号を入力すると、光出力ポート２４に出力する。光入力ポート１４からλ４の波長の光信号を入力すると、光出力ポート２１に出力する。
【００４１】
例えば、波長周回性のあるアレイ導波路回折格子では、図４の斜線部で示したように、光入力ポート１１からλ２の波長の光信号を入力すると、光出力ポート２２に出力する。光入力ポート１２からλ４の波長の光信号を入力すると、光出力ポート２３に出力する。光入力ポート１３からλ２の波長の光信号を入力すると、光出力ポート２４に出力する。光入力ポート１４からλ４の波長の光信号を入力すると、光出力ポート２１に出力する。
【００４２】
図２のパス設定回路１０１に接続する通信端末の波長を図３又は図４のように配置すると、パス設定回路１０１では、図２の矢印で示したようなパスを設定することができる。
【００４３】
例えば、パス設定回路が波長周回性のない場合は、図１においては、通信端末２０１の出力回路３０１からの光信号の波長をλ２、通信端末２０２の出力回路３０２からの光信号の波長をλ４、通信端末２０５の出力回路３０５からの光信号の波長をλ６、通信端末２０３の出力回路３０３からの光信号の波長をλ４に設定すると、図１のパス設定回路１０１で示したようなパスを設定することができる。
【００４４】
例えば、パス設定回路が波長周回性のある場合は、図１においては、通信端末２０１の出力回路３０１からの光信号の波長をλ２、通信端末２０２の出力回路３０２からの光信号の波長をλ４、通信端末２０５の出力回路３０５からの光信号の波長をλ２、通信端末２０３の出力回路３０３からの光信号の波長をλ４に設定すると、図１のパス設定回路１０１で示したようなパスを設定することができる。
【００４５】
他のパス設定回路でも同様に、通信端末の信号出力ポートからの光信号の波長を所定の配置とすることにより、図１のパス設定回路で示したようなパスを設定することができる。
【００４６】
本実施の形態で説明したように、通信端末の信号出力ポートからの光信号の波長を所定の配置とすることにより、パス設定回路を介して通信端末の接続形態を論理的リングトポロジとすることができた。また、このようなパス設定回路には波長周回性のあるアレイ導波路回折格子であっても、波長周回性のないアレイ導波路回折格子であっても適用できることを示した。
【００４７】
本実施の形態では、パス設定回路の光入力ポート、光出力ポート対は４対で説明したが、パス設定回路の光入力ポート、光出力ポート対は４対に限らず、複数の対を有していればよい。また、ここでは、パス設定回路は同じ数の光入力ポート、光出力ポート対で説明したが、それぞれのパス設定回路は異なる数の光入力ポート、光出力ポート対を有していてもよい。
【００４８】
（実施の形態２）
本実施の形態では、光通信方式で接続する通信端末の増設について説明する。図５において、１０１〜１０４はパス設定回路、２０１〜２１０は通信端末、３０１〜３１０はそれぞれ通信端末２０１〜２１０の出力回路、４０１〜４１０はそれぞれ通信端末２０１〜２１０の入力回路である。
【００４９】
通信端末２０１〜２１０は、それぞれ１の出力回路と入力回路対を有し、１の出力回路と入力回路対に１の信号出力ポート、信号入力ポート対を備え、信号入力ポートへの号を受信処理し、さらに、通信処理をした後に信号出力ポートから光信号を出力する。パス設定回路１０１〜１０４は、複数の光入力ポート、光出力ポート対を有し、それぞれの光入力ポートから入力された光信号の波長に応じて所定の光出力ポートに出力されるように設定されている。パス設定回路としては、アレイ導波路回折格子（ＡＷＧ： Arrayed Waveguide Grating）等が適用できる。
【００５０】
図５において、パス設定回路１０１、パス設定回路１０２、パス設定回路１０３、パス設定回路１０４同士はこれらの光入力ポート、光出力ポート対を通して接続され、パス設定回路１０１には通信端末２０１、２０２、２０３が収容され、パス設定回路１０２には通信端末２０５が収容され、パス設定回路１０３には通信端末２０６、２０７、２０８が収容され、パス設定回路１０４には通信端末２０４、２０９、２１０が収容されている。図５に示すように、パス設定回路１０１〜１０４において光入力ポートから隣接する光出力ポートにパスの設定がされるよう、それぞれの通信端末の信号出力ポートからの光信号の波長を配置している。
【００５１】
通信端末２０１の出力回路３０１からの光信号は通信端末２０２の入力回路４０２に入力され受信処理をし、通信端末２０２で通信処理をした後に出力回路３０２から光信号を出力する。この接続を繰り返すと、通信端末の接続が一巡することによって、通信端末２０１から通信端末２０２、通信端末２０９、通信端末２０４、通信端末２１０、通信端末２０６、通信端末２０７、通信端末２０８、通信端末２０５、通信端末２０３、通信端末２０１へとこれらの通信端末の接続形態が論理的リングトポロジを形成する。
【００５２】
本実施の形態で説明したように、通信端末を増設しても、パス設定回路を介して通信端末の接続形態を論理的リングトポロジとすることができた。
【００５３】
ここでは、接続されるパス設定回路の数を４個としたが、接続されるパス設定回路の数は、この実施の形態で説明した数に限るものではなく、その数に上限はない。
【００５４】
（実施の形態３）
本実施の形態では、パス設定回路の光出力ポートと他のパス設定回路の光入力ポートとを通信端末を介して接続する光通信方式について説明する。図６において、１０１〜１０３はパス設定回路、２０１〜２０８、２１１、２１２は通信端末、３０１〜３０８、３１１、３１２はそれぞれ通信端末２０１〜２０８、２１１、２１２の出力回路、４０１〜４０８、４１１、４１２はそれぞれ通信端末２０１〜２０８、２１１、２１２の入力回路、５０１、５０２は中継器、３１３、３１４は中継器５０１、５０２の出力回路、４１３、４１４は中継器５０１、５０２の入力回路である。
【００５５】
通信端末２０１〜２０８、２１１、２１２は、それぞれ１の出力回路と入力回路対を有し、１の出力回路と入力回路対に１の信号出力ポート、信号入力ポート対を備え、信号入力ポートへの光信号を受信処理し、さらに、通信処理をした後に信号出力ポートから光信号を出力する。中継器５０１、５０２は１の信号出力ポート、信号入力ポート対を有し、信号入力ポートへの光信号を受信処理し、信号出力ポートから光信号を出力する。パス設定回路１０１〜１０３は、複数の光入力ポート、光出力ポート対を有し、それぞれの光入力ポートから入力された光信号の波長に応じて所定の光出力ポートに出力されるように設定されている。パス設定回路としては、アレイ導波路回折格子（ＡＷＧ： Arrayed Waveguide Grating）等が適用できる。
【００５６】
通信端末２０１の出力回路３０１からの光信号は通信端末２０２の入力回路４０２に入力され受信処理をし、通信端末２０２で通信処理をした後に出力回路３０２から光信号を出力する。
【００５７】
通信端末２０２の出力回路３０２からの光信号は通信端末２１１の入力回路４１１に入力され受信処理をし、通信端末２１１で通信処理をした後に出力回路３１１から光信号を出力する。
【００５８】
通信端末２１１の出力回路３１１からの光信号は通信端末２０４の入力回路４０４に入力され受信処理をし、通信端末２０４で通信処理をした後に出力回路３０４から光信号を出力する。
【００５９】
このような接続を繰り返すと、通信端末が直列に接続されていく。途中の中継器では、通信処理をせず、入力された光信号を受信処理して、所定の波長で光信号を出力する。通信端末の接続が一巡することによって、通信端末２０１から通信端末２０２、通信端末２１１、通信端末２０４、通信端末２０６、通信端末２０７、通信端末２０８、通信端末２０５、通信端末２１２、通信端末２０３、通信端末２０１へとこれらの通信端末の接続形態が論理的リングトポロジを形成する。
【００６０】
本実施の形態で説明したように、パス設定回路とパス設定回路の接続に通信端末を利用すると通信端末を増設することができ、また、通信端末を増設しても、パス設定回路を介して通信端末の接続形態を論理的リングトポロジとすることができた。パス設定回路とパス設定回路の接続に通信端末を利用することによって、パス設定回路に入力する光信号の波長を他のパス設定回路にのみ接続される通信端末に影響されることなく、配置することができる。
【００６１】
さらに、これらの光通信方式において、通信端末を中継器に置き換えても、通信端末の接続形態を論理的リングトポロジとすることができた。
【００６２】
（実施の形態４）
本実施の形態では、通信端末の出力回路からの光信号の波長を変更することによって、パスの設定変更を行う光通信方式について説明する。
【００６３】
図７に、パス設定回路の構成を示す。図７において、１０１はパス設定回路、１１、１２、１３、１４は光入力ポート、２１、２２、２３、２４は光出力ポートである。図８、図９に光入力ポートから入力された光信号がその波長に応じて、どの光出力ポートに出力されるかの波長ルーティング特性を示す。図８は波長周回性のない場合であり、図９は波長周回性のある場合である。このような、特性はアレイ導波路回折格子で構成すると実現することができる。波長周回性のあるパス設定回路では、それぞれの通信端末で使用する波長の数が少なくてもよい。
【００６４】
例えば、波長周回性のないアレイ導波路回折格子では、図８の斜線部で示したように、光入力ポート１１からλ３の波長の光信号を入力すると、光出力ポート２３に出力する。光入力ポート１３からλ６の波長の光信号を入力すると、光出力ポート２４に出力する。光入力ポート１４からλ４の波長の光信号を入力すると、光出力ポート２１に出力する。
【００６５】
例えば、波長周回性のあるアレイ導波路回折格子では、図９の斜線部で示したように、光入力ポート１１からλ３の波長の光信号を入力すると、光出力ポート２３に出力する。光入力ポート１３からλ２の波長の光信号を入力すると、光出力ポート２４に出力する。光入力ポート１４からλ４の波長の光信号を入力すると、光出力ポート２１に出力する。
【００６６】
図７のパス設定回路１０１に接続する通信端末の波長を図８又は図９のように配置すると、パス設定回路１０１では、図７の矢印で示したようなパスを設定することができる。このように、パス設定回路の光入力ポートに入力する光信号の波長を変更すると、パス設定回路において任意のパス設定が可能になる。
【００６７】
通信端末の出力光源を波長可変光源とし、パス設定回路の光入力ポートに入力する光信号の波長を変更して、パス設定回路で任意のパス設定を可能にすることができる。パス設定の変更を可能にすると、光通信方式において、通信端末や通信端末等を接続する光ファイバ等の光導波路に障害が発生した場合に、障害部分を切り離して、正常な通信端末を接続替えして、論理的リングトポロジの接続形態を維持したり、別のリングネットワークを構成したりすることが可能になる。
【００６８】
パス設定の変更により、別のリングネットワークを構成する例を図１０で説明する。図１０において、１０１〜１０３はパス設定回路、２０１〜２０８、２１１、２１２は通信端末、３０１〜３０８、３１１、３１２はそれぞれ通信端末２０１〜２０８、２１１、２１２の出力回路、４０１〜４０８、４１１、４１２はそれぞれ通信端末２０１〜２０８、２１１、２１２の入力回路、５０１、５０２は中継器、３１３、３１４は中継器５０１、５０２の出力回路、４１３、４１４は中継器５０１、５０２の入力回路である。
【００６９】
通信端末２０１〜２０８、２１１、２１２は、それぞれ１の出力回路と入力回路対を有し、１の出力回路と入力回路対に１の信号出力ポート、信号入力ポート対を備え、信号入力ポートへの光信号を受信処理し、さらに、通信処理をした後に信号出力ポートから光信号を出力する。中継器５０１、５０２は１の信号出力ポート、信号入力ポート対を有し、信号入力ポートへの光信号を受信処理し、信号出力ポートから光信号を出力する。パス設定回路１０１〜１０３は、複数の光入力ポート、光出力ポート対を有し、それぞれの光入力ポートから入力された光信号の波長に応じて所定の光出力ポートに出力されるように設定されている。パス設定回路としては、アレイ導波路回折格子（ＡＷＧ： Arrayed Waveguide Grating）等が適用できる。
【００７０】
例えば、パス設定回路が波長周回性のない場合は、図１０においては、通信端末２０１の出力回路３０１からの光信号の波長をλ３、通信端末２１２の出力回路３１２からの光信号の波長をλ６、通信端末２０３の出力回路３０３からの光信号の波長をλ４に設定すると、図１０のパス設定回路１０１におけるようなパスを設定することができる。
【００７１】
例えば、パス設定回路が波長周回性のある場合は、図１０においては、通信端末２０１の出力回路３０１からの光信号の波長をλ３、通信端末２１２の出力回路３１２からの光信号の波長をλ２、通信端末２０３の出力回路３０３からの光信号の波長をλ４に設定すると、図１０のパス設定回路１０１で示したようなパスを設定することができる。
【００７２】
通信端末２０２、２０６、２０７、２０８に障害が発生すると、このままでは、論理的リングトポロジが形成されず、通信端末間での通信が不可能になる。そこで、これら障害の発生した通信端末を切り離すために、図１０に示すように、パス設定回路のパス設定を変更する。パス設定の変更はパス設定回路の光入力ポートに入力する光信号の波長、即ち、通信端末の出力回路の出力する光信号の波長を変更することによって行われる。
【００７３】
図１０のパス設定回路１０１、１０２でのパス設定変更を行うと、通信端末の接続が一巡することによって、通信端末２０１から通信端末２１１、通信端末２０４、通信端末２０５、通信端末２１２、通信端末２０３、通信端末２０１へとこれらの通信端末の接続形態が論理的リングトポロジを形成する。
【００７４】
本実施の形態で説明したように、通信端末の出力回路の出力する光信号の波長を変更することによって、パス設定回路のパス設定を変更し、障害のある通信端末等を切り離して、通信端末の接続形態が論理的リングトポロジを形成することによって通信を回復することができた。
【００７５】
なお、パス設定回路に接続される通信端末の数は、この実施の形態で説明した数に限るものではなく、また、パス設定回路の総ての光入力ポート、光出力ポート対に通信端末が接続されている必要はない。
【００７６】
（実施の形態５）
８個の通信端末を収容する光通信方式を図１１で説明する。図１１において、１０１〜１０２はパス設定回路、２０１〜２０８は通信端末、３０１〜３０８はそれぞれ通信端末２０１〜２０８の出力回路、４０１〜４０８はそれぞれ通信端末２０１〜２０８の入力回路、６０１〜６０８は光スイッチ、７０１〜７０８は光合波器である。
【００７７】
通信端末２０１〜２０８は、それぞれ１の出力回路と入力回路対を有し、１の出力回路と入力回路対に１の信号出力ポート、信号入力ポート対を備え、信号入力ポートへの光信号を受信処理し、さらに、通信処理をした後に信号出力ポートから光信号を出力する。図１１の図面上おいては、左右に通信端末を分離しているが、入力回路と対応する出力回路とは１の通信端末に含まれる。パス設定回路１０１〜１０２は、複数の光入力ポート、光出力ポート対を有し、それぞれの光入力ポートから入力された光信号の波長に応じて所定の光出力ポートに出力されるように設定されている。パス設定回路としては、アレイ導波路回折格子（ＡＷＧ： Arrayed Waveguide Grating）等が適用できる。光スイッチ６０１〜６０８は、光入力ポートからの光信号を複数の光出力ポートのいずれかに方路を設定する。光合波器７０１〜７０８は複数の光入力ポートからの光信号を合波して１の光出力ポートに出力する。
【００７８】
図１１においては、４個の通信端末、４個の光スイッチ、４個の光合波器、１個のパス設定回路、が１組を構成し、２組からなる光通信方式である。
【００７９】
図１１において、通信端末２０１〜２０８の出力回路３０１〜３０８に備える信号出力ポートが対応する光スイッチ６０１〜６０８の光入力ポートに接続されている。光スイッチ６０１〜６０８の光出力ポートは対応する光合波器７０１〜７０８の光入力ポート及び他の組の総ての光合波器７０１〜７０８の光入力ポートに接続されている。光合波器７０１〜７０８の光出力ポートはパス設定回路１０１、１０２の対応する光入力ポートに接続されている。パス設定回路１０１、１０２の光出力ポートは対応する通信端末２０１〜２０８の入力回路４０１〜４０８に備える信号入力ポートに接続されている。
【００８０】
図１１では、光スイッチで接続可能な方路を細線で表し、実際に接続されている方路を太線で表している。光スイッチ６０１〜６０８の方路とパス設定回路１０１、１０２のパスが図１１に示すように設定されるよう、光スイッチ６０１〜６０８の方路を制御し、それぞれの通信端末の信号出力ポートからの光信号の波長を配置している。
【００８１】
通信端末２０１の出力回路３０１からの光信号は、光スイッチ６０１、光合波器７０１、パス設定回路１０１を経て、通信端末２０３の入力回路４０３に入力され受信処理をし、通信端末２０３で通信処理をした後に出力回路３０３から光信号を出力する。
【００８２】
通信端末２０３の出力回路３０３からの光信号は、光スイッチ６０３、光合波器７０３、パス設定回路１０１を経て、通信端末２０４の入力回路４０４に入力され受信処理をし、通信端末２０４で通信処理をした後に出力回路３０４から光信号を出力する。
【００８３】
通信端末２０４の出力回路３０４からの光信号は、光スイッチ６０４、光合波器７０５、パス設定回路１０２を経て、通信端末２０７の入力回路４０７に入力され受信処理をし、通信端末２０７で通信処理をした後に出力回路３０７から光信号を出力する。
【００８４】
通信端末２０７の出力回路３０７からの光信号は、光スイッチ６０７、光合波器７０７、パス設定回路１０２を経て、通信端末２０５の入力回路４０５に入力され受信処理をし、通信端末２０５で通信処理をした後に出力回路３０５から光信号を出力する。
【００８５】
通信端末２０５の出力回路３０５からの光信号は、光スイッチ６０５、光合波器７０４、パス設定回路１０１を経て、通信端末２０２の入力回路４０２に入力され受信処理をし、通信端末２０２で通信処理をした後に出力回路３０２から光信号を出力する。
【００８６】
通信端末２０２の出力回路３０２からの光信号は、光スイッチ６０２、光合波器７０８、パス設定回路１０２を経て、通信端末２０６の入力回路４０６に入力され受信処理をし、通信端末２０６で通信処理をした後に出力回路３０６から光信号を出力する。
【００８７】
通信端末２０６の出力回路３０６からの光信号は、光スイッチ６０６、光合波器７０６、パス設定回路１０２を経て、通信端末２０８の入力回路４０８に入力され受信処理をし、通信端末２０８で通信処理をした後に出力回路３０８から光信号を出力する。
【００８８】
通信端末２０８の出力回路３０８からの光信号は、光スイッチ６０８、光合波器７０２、パス設定回路１０１を経て、通信端末２０１の入力回路４０１に入力され受信処理をし、通信端末２０１で通信処理をされる。
【００８９】
これらの通信端末の論理的な接続形態を図１２に示す。図１２に示すように、通信端末の接続が一巡することによって、通信端末２０１から通信端末２０３、通信端末２０４、通信端末２０７、通信端末２０５、通信端末２０２、通信端末２０６、通信端末２０８、通信端末２０１へとこれらの通信端末の接続形態が論理的リングトポロジを形成する。
【００９０】
ここで、パス設定回路において、図１１に示すような、光入力ポートから隣接する光出力ポートにパスの設定がされるよう、それぞれの通信端末の信号出力ポートからの光信号の波長を配置する方法について説明する。
【００９１】
図１３に、パス設定回路の構成を示す。図１３において、１０１はパス設定回路、１１、１２、１３、１４は光入力ポート、２１、２２、２３、２４は光出力ポートである。図１４、図１５に光入力ポートから入力された光信号がその波長に応じて、どの光出力ポートに出力されるかの波長ルーティング特性を示す。図１４は波長周回性のない場合であり、図１５は波長周回性のある場合である。このような、特性はアレイ導波路回折格子で構成すると実現することができる。波長周回性のあるパス設定回路では、それぞれの通信端末で使用する波長の数が少なくてもよい。
【００９２】
例えば、波長周回性のないアレイ導波路回折格子では、図１４の斜線部で示したように、光入力ポート１１からλ３の波長の光信号を入力すると、光出力ポート２３に出力する。光入力ポート１２からλ２の波長の光信号を入力すると、光出力ポート２１に出力する。光入力ポート１３からλ６の波長の光信号を入力すると、光出力ポート２４に出力する。光入力ポート１４からλ５の波長の光信号を入力すると、光出力ポート２２に出力する。
【００９３】
例えば、波長周回性のあるアレイ導波路回折格子では、図１５の斜線部で示したように、光入力ポート１１からλ３の波長の光信号を入力すると、光出力ポート２３に出力する。光入力ポート１２からλ２の波長の光信号を入力すると、光出力ポート２１に出力する。光入力ポート１３からλ２の波長の光信号を入力すると、光出力ポート２４に出力する。光入力ポート１４からλ１の波長の光信号を入力すると、光出力ポート２２に出力する。
【００９４】
図１１のパス設定回路１０１に接続する通信端末の波長を図１４又は図１５のように配置すると、パス設定回路１０１では、図１１の矢印で示したようなパスを設定することができる。
【００９５】
他のパス設定回路でも同様に、通信端末の信号出力ポートからの光信号の波長を所定の配置とすることにより、図１１のパス設定回路で示したようなパスを設定することができる。
【００９６】
本実施の形態で説明したように、通信端末の信号出力ポートからの光信号の波長を所定の配置とし、光スイッチの方路を所定の設定とすることにより、パス設定回路等を介して通信端末の接続形態を論理的リングトポロジとすることができた。また、このようなパス設定回路には波長周回性のあるアレイ導波路回折格子であっても、波長周回性のないアレイ導波路回折格子であっても適用できることを示した。
【００９７】
本実施の形態では、パス設定回路の光入力ポート、光出力ポート対は４対で説明したが、パス設定回路の光入力ポート、光出力ポート対は４対に限らず、複数の対を有していればよい。また、ここでは、パス設定回路は同じ数の光入力ポート、光出力ポート対で説明したが、それぞれのパス設定回路は異なる数の光入力ポート、光出力ポート対を有していてもよい。さらに、ここでは、２組のパス設定回路で構成したが、組の数に制限はない。
【００９８】
（実施の形態６）
８個の通信端末を収容する他の光通信方式を図１６で説明する。図１６において、１０１〜１０２はパス設定回路、２０１〜２０８は通信端末、３０１〜３０８はそれぞれ通信端末２０１〜２０８の出力回路、４０１〜４０８はそれぞれ通信端末２０１〜２０８の入力回路、８０１〜８０８は光分流器、９０１〜９０８は光スイッチである。
【００９９】
通信端末２０１〜２０８は、それぞれ１の出力回路と入力回路対を有し、１の出力回路と入力回路対に１の信号出力ポート、信号入力ポート対を備え、信号入力ポートへの光信号を受信処理し、さらに、通信処理をした後に信号出力ポートから光信号を出力する。図１６の図面上おいては、左右に通信端末を分離しているが、入力回路と対応する出力回路とは１の通信端末に含まれる。パス設定回路１０１〜１０２は、複数の光入力ポート、光出力ポート対を有し、それぞれの光入力ポートから入力された光信号の波長に応じて所定の光出力ポートに出力されるように設定されている。パス設定回路としては、アレイ導波路回折格子（ＡＷＧ： Arrayed Waveguide Grating）等が適用できる。光分流器８０１〜８０８は、１の光入力ポートからの光信号を分流して複数の光出力ポートに出力する。光スイッチ９０１〜９０８は複数の光入力ポートからのいずれかの光信号を１の光出力ポートに方路を設定する。
【０１００】
図１６においては、４個の通信端末、４個の光分流器、４個の光スイッチ、１個のパス設定回路、が１組を構成し、２組からなる光通信方式である。
【０１０１】
図１６において、通信端末２０１〜２０８の出力回路３０１〜３０８に備える信号出力ポートが対応する光分流器８０１〜８０８の光入力ポートに接続されている。光分流器８０１〜８０８の光出力ポートは対応する光スイッチ９０１〜９０８の光入力ポート及び他の組の総ての光スイッチ９０１〜９０８の光入力ポートに接続されている。光スイッチ９０１〜９０８の光出力ポートはパス設定回路１０１、１０２の対応する光入力ポートに接続されている。パス設定回路１０１、１０２の光出力ポートは対応する通信端末２０１〜２０８の入力回路４０１〜４０８に備える信号入力ポートに接続されている。
【０１０２】
図１６では、光スイッチで接続可能な方路を細線で表し、実際に接続されている方路を太線で表している。光スイッチ９０１〜９０８の方路とパス設定回路１０１、１０２のパスが図１６に示すように設定されるよう、光スイッチ９０１〜９０８の方路を制御し、それぞれの通信端末の信号出力ポートからの光信号の波長を配置している。このような通信端末の接続形態は図１２と同じように論理的リングトポロジを形成する。
【０１０３】
本実施の形態で説明したように、通信端末の信号出力ポートからの光信号の波長を所定の配置とし、光スイッチの方路を所定の設定とすることにより、パス設定回路等を介して通信端末の接続形態を論理的リングトポロジとすることができた。
【０１０４】
本実施の形態では、パス設定回路の光入力ポート、光出力ポート対は４対で説明したが、パス設定回路の光入力ポート、光出力ポート対は４対に限らず、複数の対を有していればよい。また、ここでは、パス設定回路は同じ数の光入力ポート、光出力ポート対で説明したが、それぞれのパス設定回路は異なる数の光入力ポート、光出力ポート対を有していてもよい。さらに、ここでは、２組のパス設定回路で構成したが、組の数に制限はない。
【０１０５】
（実施の形態７）
本実施の形態では、一部の通信端末を中継器に置き換えた光通信方式について説明する。図１７において、１０１〜１０２はパス設定回路、２０１〜２０３、２０６〜２０８は通信端末、５０１、５０２は中継器、３０１〜３０８はそれぞれ通信端末２０１〜２０３、２０６〜２０８又は中継器５０１、５０２の出力回路、４０１〜４０８はそれぞれ通信端末２０１〜２０３、２０６〜２０８又は中継器５０１、５０２の入力回路、６０１〜６０８は光スイッチ、７０１〜７０８は光合波器である。
【０１０６】
本実施の形態は、前述の実施の形態における通信端末２０４を中継器５０１に、通信端末２０５を中継器５０２に置き換えたものである。このように置き換えても、通信端末の接続が一巡することによって、通信端末２０１から通信端末２０３、中継器５０１、通信端末２０７、中継器５０２、通信端末２０２、通信端末２０６、通信端末２０８、通信端末２０１へとこれらの通信端末の接続形態が論理的リングトポロジを形成する。図１７の接続状態は、図１２において、通信端末２０４、２０５スキップして接続したものと等価となる。
【０１０７】
本実施の形態では、本発明の光通信方式において、通信端末を中継器に置き換えても、通信端末の接続形態を論理的リングトポロジとすることができた。
【０１０８】
（実施の形態８）
本実施の形態では、通信端末の出力回路からの光信号の波長と光スイッチの方路を変更することによって、通信端末の接続変更を行う光通信方式について説明する。
【０１０９】
図１８に、パス設定回路の構成を示す。図１８において、１０１はパス設定回路、１１、１２、１３、１４は光入力ポート、２１、２２、２３、２４は光出力ポートである。図１９、図２０に光入力ポートから入力された光信号がその波長に応じて、どの光出力ポートに出力されるかの波長ルーティング特性を示す。図１９は波長周回性のない場合であり、図２０は波長周回性のある場合である。このような、特性はアレイ導波路回折格子で構成すると実現することができる。波長周回性のあるパス設定回路では、それぞれの通信端末で使用する波長の数が少なくてもよい。
【０１１０】
例えば、波長周回性のないアレイ導波路回折格子では、図１９の斜線部で示したように、光入力ポート１１からλ３の波長の光信号を入力すると、光出力ポート２３に出力する。光入力ポート１２からλ３の波長の光信号を入力すると、光出力ポート２２に出力する。光入力ポート１３からλ６の波長の光信号を入力すると、光出力ポート２４に出力する。光入力ポート１４からλ４の波長の光信号を入力すると、光出力ポート２１に出力する。
【０１１１】
例えば、波長周回性のあるアレイ導波路回折格子では、図２０の斜線部で示したように、光入力ポート１１からλ３の波長の光信号を入力すると、光出力ポート２３に出力する。光入力ポート１２からλ３の波長の光信号を入力すると、光出力ポート２２に出力する。光入力ポート１３からλ２の波長の光信号を入力すると、光出力ポート２４に出力する。光入力ポート１４からλ４の波長の光信号を入力すると、光出力ポート２１に出力する。このように光入力ポートに入力する光信号の波長を設定することによって、アレイ導波路回格子等のパス設定回路では、パスを変更することができる。
【０１１２】
図１８のパス設定回路１０１に接続する通信端末の波長を図１９又は図２０のように配置すると、パス設定回路１０１では、図１８の矢印で示したようなパスを設定することができる。このように、パス設定回路の光入力ポートに入力する光信号の波長を変更すると、パス設定回路において任意のパス設定が可能になる。
【０１１３】
通信端末の出力光源を波長可変光源とし、パス設定回路の光入力ポートに入力する光信号の波長を変更して、パス設定回路で任意のパス設定を可能にすることができる。光スイッチの方路とパス設定回路のパス設定の変更を可能にすると、光通信方式において、通信端末や通信端末等を接続する光ファイバ等の光導波路に障害が発生した場合に、障害部分を切り離して、正常な通信端末を接続替えして、論理的リングトポロジの接続形態を維持したり、別のリングネットワークを構成したりすることが可能になる。
【０１１４】
パス設定の変更により、１つのリングネットワークを２つのリングネットワークに構成変更する例を図２１で説明する。図２１において、１０１、１０２はパス設定回路、２０１〜２０８は通信端末、３０１〜３０８はそれぞれ通信端末２０１〜２０８の出力回路、４０１〜４０８はそれぞれ通信端末２０１〜２０８の入力回路、６０１〜６０８は光スイッチ、７０１〜７０８は光合波器である。
【０１１５】
通信端末２０１〜２０８は、それぞれ１の出力回路と入力回路対を有し、１の出力回路と入力回路対に１の信号出力ポート、信号入力ポート対を備え、信号入力ポートへの光信号を受信処理し、さらに、通信処理をした後に信号出力ポートから光信号を出力する。図２１の図面上おいては、左右に通信端末を分離しているが、入力回路と対応する出力回路とは１の通信端末に含まれる。パス設定回路１０１、１０２は、複数の光入力ポート、光出力ポート対を有し、それぞれの光入力ポートから入力された光信号の波長に応じて所定の光出力ポートに出力されるように設定されている。パス設定回路としては、アレイ導波路回折格子（ＡＷＧ： Arrayed Waveguide Grating）等が適用できる。光スイッチ６０１〜６０８は、光入力ポートからの光信号を複数の光出力ポートのいずれかに方路を設定する。光合波器７０１〜７０８は複数の光入力ポートからの光信号を合波して１の光出力ポートに出力する。
【０１１６】
通信端末２０１、通信端末２０３、通信端末２０４、通信端末２０７、通信端末２０５で論理的リングトポロジの接続形態とし、通信端末２０８、通信端末２０６、通信端末２０２で論理的リングトポロジの接続形態としたい場合に図２１に示すように、パス設定回路のパス設定と光スイッチの方路を変更する。パス設定の変更はパス設定回路の光入力ポートに入力する光信号の波長、即ち、通信端末の出力回路の出力する光信号の波長を変更することによって行われる。
【０１１７】
図２１のパス設定回路１０１、１０２でのパス設定変更と光スイッチ６０１〜６０８の方路変更を行うと、図２２に示すような通信端末の論理的な接続状態となる。図２２に示すように、通信端末の接続が一巡することによって、通信端末２０１、通信端末２０３、通信端末２０４、通信端末２０７、通信端末２０５、通信端末２０１へとこれらの通信端末の接続形態が論理的リングトポロジを形成し、通信端末２０８、通信端末２０６、通信端末２０２、通信端末２０８へと、これらの通信端末の接続形態も論理的リングトポロジを形成する。
【０１１８】
本実施の形態で説明したように、通信端末の出力回路の出力する光信号の波長と光スイッチの方路を変更することによって、パス設定回路のパス設定を変更し、障害のある通信端末等を切り離したり、別のリングネットワークを構成したりすることができた。
【０１１９】
なお、パス設定回路に接続される通信端末の数は、この実施の形態で説明した数に限るものではなく、また、パス設定回路の総ての光入力ポート、光出力ポート対に通信端末が接続されている必要はない。
【０１２０】
（実施の形態９）
次に、本発明による光通信方式を用いた情報共有システムの基本構成を説明する。図２３は、４個の通信端末２０１〜２０４からなる情報共有システムの基本構成を示している。通信端末２０１〜２０４には、光トランシーバとメモリを搭載した共有メモリボード１２が装着されている。このシステムにおいて、情報（映像共有の場合は、映像の情報になる）を共有する各通信端末の共有メモリボード１２に装着されている光トランシーバから送出される各通信端末２０１〜２０４の情報を載せたパケットフレームＰ１〜Ｐ４の流れは、論理的リングトポロジを形成する。図２３に示すように、各通信端末２０１〜２０４の情報を載せたパケットフレームＰ１〜Ｐ４が論理リング上を周回することによって、通信端末のそれぞれは情報の共有を行うことが可能となる。
【０１２１】
ここで、論理的リングトポロジ上を周回するパケットフレームについて説明する。図２４に論理的リングトポロジ上を周回する各通信端末２０１〜２０４の情報を載せたパケットフレームの構成を示す。ここでは情報共有システムにおいて、４つの通信端末が情報を共有している場合について説明する。図２４（ａ）に示すパケットフレーム６０は、図２３に示すパケットフレームＰ４の詳細なフレーム構成を示す図である。図２４（ａ）に示すパケットフレーム６０は、パケットフレームに関する情報を載せたフレームヘッダ７０と、各通信端末２０１〜２０４の情報から構成されるセグメント６１〜６４とからなり、さらに、各セグメント６１〜６４の先頭には、各セグメントに関する情報を載せたセグメントヘッダ８１〜８４が配置される。図２４（ａ）では、セグメント６１は通信端末２０１の情報、セグメント６２は通信端末２０２の情報、セグメント６３は通信端末２０３の情報、セグメント６４は通信端末２０４の情報である場合の例を示している。
ただし、情報共有システムのフレーム構成および各通信端末情報のフレームへのデータ搭載に関しては、これに限定されない。
【０１２２】
次に、８個の通信端末２０１〜２０８を収容する光通信方式を使用して、各通信端末間で映像を共有する情報共有システムを説明する。図２５は、本発明の光通信方式を使用した情報共有システムの構成を示す図である。図２５において、１０１、１０２はパス設定回路、２０１〜２０８の通信端末、６０１〜６０８は入力ポートが１個、出力ポートが５個の１×５光スイッチ、７０１〜７０８は入力ポートが５個、出力ポートが１個の５×１光合波器、１１〜１４はパス設定回路１０１の光信号入力ポート、１５〜１８はパス設定回路１０２の光信号入力ポート、２１〜２４はパス設定回路１０１の光信号出力回路、２５〜２８はパス設定回路１０２の光信号出力ポートである。また、９０は光分波器、９１は、光合波器である。３０は、ネットワーク管理部３１と、各通信端末２０１〜２０８から送信される光スイッチ６０１〜６０８の制御などに関する情報を載せた制御情報光信号を受信する制御信号光受信部３２と、光スイッチ６０１〜６０８の制御を行う光スイッチ制御部３３と、各通信端末２０１〜２０８に送信される制御情報光信号を送信する制御信号光送信部３４とを備えたネットワーク管理端末である。
【０１２３】
図２５において、光スイッチ制御部３３と各光スイッチ６０１〜６０８の間を結ぶ信号線のみが電気信号線であり、他の信号線は光ファイバによって構成される信号線である。
光スイッチ６０ｘ（ｘは、１〜８までの整数）の入力ポートは通信端末２０ｘと光ファイバで接続されており、光スイッチ６０ｘの出力ポートは、異なる５×１光合波器７０１〜７０８の入力ポートに光ファイバで１対１接続されている。すなわち、光スイッチ６０ｘの出力ポートは同一の光合波器には接続されていない。また、５×１光合波器７０ｘ（ｘは、１〜４までの整数）の出力ポートは、それぞれパス設定回路１０１の光入力信号ポート１００ｘに接続され、５×１光合波器７０ｙ（ｙは、５〜８までの整数）の出力ポートは、それぞれパス設定回路１０２の光入力信号１ｙに接続されている。また、図２５においては、図１１、１６、１７、２１に示す図と同様に、通信端末２０１〜２０８を左右に分離して図示しているが、同一の符号が付与されている通信端末は同一の通信端末である。
【０１２４】
次に、図２６を参照して、図２５に示す通信端末２０１〜２０８の構成を説明する。８個の通信端末は全て同一の構成であるため、ここでは、通信端末２０１の構成を説明する。図２６において、４０はコンピュータ端末、４１は通信端末管理部、４２は波長可変光源制御部、４３は光トランシーバ４７を搭載した共有メモリボード、４４は制御情報光信号送受信ボード、４５はビデオ信号取込ボード、４６は画像撮影用カメラ、４７は波長可変光源内蔵の光トランシーバ、４８映像データ信号処理部、４９はプロセッサ部、５０はパス設定回路１０１およびパス設定回路１０２の波長特性などが保存された記憶媒体、５１は映像モニタ、５２は制御情報光信号を送受信する光トランシーバ、５３は光合波器、５４は光分波器である。コンピュータ端末４０内の信号線は、電気信号線であり、光トランシーバ４７と光合波器５３との間、光トランシーバ５２と光分波器５４との間は光ファイバで構成された信号線である。
【０１２５】
次に、図２６に示す通信端末２０１の動作を説明する。コンピュータ端末４０に接続された外部カメラ４６は、画像データをビデオ信号取込ボード４５に対してアナログ信号フォーマットで送る。これを受けて、ビデオ信号取込ボード４５は画像のアナログ信号をデジタル化し、このデジタル化して得られた画像データを共有メモリボード４３へ送る。これを受けて、共有メモリボード４３は、光トランシーバ４７から入力したパケットフレームに対して、この画像データを自端末の新しいデータとしてデータセグメントに格納する。光トランシーバ４７は、新しいデータが付与されたパケットフレームを、所望の波長の光で送出する。このとき、光トランシーバ４７は波長可変光源の波長を、波長可変光源の波長に関する制御情報光信号としてネットワーク管理端末３０の制御信号光送信部３４を介して通信端末の制御情報光信号送受信ボード４４に送られてくる制御情報に基づき、通信端末の波長可変光源制御部４２を介して設定し、パケットフレームを１．５５μｍ帯の所望の波長λｄの光パケットフレーム信号として出力する。
【０１２６】
各通信端末においては、図２５に示した光スイッチ６０１〜６０８の制御などに関する情報を載せた制御情報光信号を送受信する制御信号光受信ボード４４があり、この制御情報光信号送受信ボード４４に搭載されている光トランシーバ５２から出力される制御情報光信号の波長は、固定波長λｃ（例えば１．３μｍ）であり、波長可変光源内蔵の光トランシーバ４７から出力される光パケットフレーム信号とは異なる波長になっている。
【０１２７】
また、共有メモリボード４３に装着された波長可変光源内蔵の光トランシーバ４７から送出される光パケットフレーム信号と制御情報光信号送受信ボード４４に搭載されている光トランシーバ５２から出力される制御情報光信号は、光合波器５３によって合波され、図２５に示す光分波器９０に光ファイバを介して送られる。また、一方で、図２５に示す光合波器９１を経由し光ファイバによって通信端末へ伝送される光パケットフレーム信号と制御情報光信号は、光分波器５４によって分波され、光パケットフレーム信号は共有メモリボード４３に搭載した光トランシーバ４７の受信部に、また制御情報光信号は制御情報光信号送受信ボード４４に搭載した光トランシーバ５２の受信部に送られることとなる。
【０１２８】
次に、図２７を参照して、図２６に示す共有メモリボード４３の構成を説明する。図２７において、４７は図２６に示す光トランシーバ、４３１は共有メモリ、４３２はフレーム転送処理回路、４８は図２６に示す映像データ信号処理部である。光トランシーバ４７に対して、入出力される信号は、光ファイバを介した光信号であり、共有メモリボード４３内の信号線は電気信号線である。
【０１２９】
ここで、図２７を参照して、共有メモリボード４３の動作を説明する。論理的リングトポロジ上において、隣接する片方の通信端末からパケットフレーム（光信号）が光ファイバを介して光トランシーバ４７の光受信部に入力すると、光信号のパケットフレームは電気信号に変換される。フレーム転送処理回路４３２は、光電気変換されたパケットフレームを第１の方路Ｌ１と第２の方路Ｌ２の２方路に分岐する。第１の方路Ｌ１に分岐されたパケットフレームは、フレーム転送処理回路４３２においてパケットフレーム内に書き込まれている通信端末毎の情報を識別し、他の通信端末の情報を通信端末別に共有メモリ４３１の所定のアドレス空間にそれぞれ格納する。通信端末は、共有メモリ４３１に格納された各通信端末の情報を必要に応じて、映像データ信号処理部４８へ送る。
【０１３０】
一方、通信端末は、第２の方路Ｌ２に分岐されたパケットフレームに対しては、フレーム転送処理回路４３２においてパケットフレーム内にある自身の古い情報を削除するとともに、映像データ信号処理部４８からフレーム転送処理回路４３２へ入力する新しいデータを読み出し、パケットフレームに付与する。自身の新しいデータがない場合には、パケットフレームは自身の通信端末の情報を格納したセグメントを形成しない。例えば、自身の通信端末を図２３に示す通信端末２０１とすると、パケットフレームに通信端末２０１の新しいデータを付与しない場合に形成されるパケットフレームは図２４（ｂ）に示すように、自身の通信端末２０１のデータセグメント６１を持たず、結果的に通信端末２０１〜通信端末２０４のすべてのデータのセグメントを持つ場合（図２４（ａ））に比べてフレーム長は短くなる。
【０１３１】
次に、第２の方路Ｌ２に分岐され、フレーム転送処理回路４３２において自身の新しいデータをパケットフレームに付与するまたは付与しない処理を経たパケットフレームは、光トランシーバ４７の光送信器から光信号伝送用光ファイバに出力され、論理的リングトポロジ上の隣の通信端末にパケットフレームを光信号として送出する。
このように光パケットフレームが、通信端末が構成する論理的リングトポロジ上を一周することで、各端ノードの共有メモリ上のデータの更新が実施される。
【０１３２】
次に、図２８を参照して、図２５に示すネットワーク管理端末３０の詳細な構成を説明する。ネットワーク管理部３１は主として、プロセッサ部３５、制御信号入出力インタフェース３６、記憶媒体３７から構成される。記憶媒体３７には、パス設定回路１０１およびパス設定回路１０２の波長ルーティング特性表、光スイッチ６０１〜６０８と入力ポート側に接続されている通信端末情報、ならびに光スイッチ６０１〜６０９の出力ポート側に光合波器を介して接続されているパス設定回路の入力ポートの情報が基本データベースとして登録されている。パス設定回路１０１の波長と入出力ポートとの関係を示す波長ルーティング特性表を図２９に、パス設定回路１０２の波長と入出力ポートとの関係を示す波長ルーティング特性表を図３０に示す。
【０１３３】
プロセッサ部３５は、これら基本データベースを基に各通信端末間での通信に際し、各通信端末が接続されている光スイッチ６０１〜６０８の入力ポートから入力する光パケットフレーム信号を７０１〜７０８のどの光合波器に出力すべきかを判断し、この判断結果に基づいて、光スイッチ制御部３３を介して光スイッチ６０１〜６０８を、光スイッチ６０１〜６０８の入力ポートから入力する光パケットフレーム信号が所望の光合波器７０１〜７０８の入力側に出力されるように制御する。
【０１３４】
次に、ネットワーク管理部３１では、記憶媒体３７に登録されているパス設定回路１０１およびパス設定回路１０２の波長ルーティング特性（図２９、図３０）を基に、各通信端末の波長可変光源内蔵光トランシーバ４７に内蔵されている波長可変光源が設定すべき波長を、各通信端末の制御情報光信号送受信ボード４４に向けて、波長可変光源の波長に関する制御情報光信号として制御信号光送信部３４を介して送信する。このとき、ネットワーク管理部３１においては各通信端末の波長設定を波長設定データベースとして記憶媒体３７に登録する。
【０１３５】
次に、本発明の光通信方式の動作手順の例として、通信端末２０１と通信端末２０３と通信端末２０４と通信端末２０５と通信端末２０７によって構成される論理的リングトポロジ情報共有（情報共有グループＡと呼ぶ）と、通信端末２０２と通信端末２０６と通信端末２０８によって構成される論理的リングトポロジ情報共有（情報共有グループＢと呼ぶ）が、どのように形成されるかについて説明する。
【０１３６】
通信端末２０１と通信端末２０３と通信端末２０４と通信端末２０５と通信端末２０７が論理的リングトポロジ情報共有グループＡ（図２５において（Ａ）と図示）を形成し、かつ論理的ロングトポロジ上の光パケットフレームの流れを、通信端末２０１→通信端末２０３→通信端末２０４→通信端末２０７→通信端末２０５→通信端末２０１とする場合、端末２０１は通信端末２０３と、通信端末２０３は通信端末２０４と、通信端末２０４は通信端末２０７と、通信端末２０７は通信端末２０５、通信端末２０５は通信端末２０１と接続を希望することを載せた制御情報を、各通信端末の制御情報光信号送受信ボード４４から送出する。制御情報は、光分波器９０を介してネットワーク管理端末３０の制御信号光受信部３２によって受信され、その情報は、ネットワーク管理部３１に送られる。
【０１３７】
これを受けて、ネットワーク管理部３１では、上述した基本データベースを基に、各通信端末が接続されている光スイッチ６０１、６０３、６０４、６０５、６０７の入力ポートから入力するパケットフレーム信号を光合波器７０１〜７０８のうち、どの光合波器に出力すべきか、ネットワーク管理部３１のプロセッサ部３５において判断し、光スイッチ制御部３３を介して、光スイッチ６０１、６０３、６０４、６０５、６０７の入力ポートから入力するパケットフレーム信号が所望の光合波器７０１〜７０８の入力側に出力されるようにする制御する。また、同時に各通信端末の波長可変光源内蔵の光トランシーバ４７の波長可変光源が設定すべき波長を、波長可変光源の波長に関する制御情報光信号としてネットワーク管理端末３０の制御信号光送信部３４を介して通信端末の制御情報光信号送受信ボード４４に送る。各通信端末は、ネットワーク管理端末３０から送られてくる波長可変光源の波長に関する情報を受けて、波長可変光源の波長を定められた波長に設定する。
【０１３８】
同様に、通信端末２０２と通信端末２０６と通信端末２０８が論理的リングトポロジ情報共有グループＢ（図２５において（Ｂ）と図示）を形成し、かつ論理的ロングトポロジ上の光パケットフレームの流れを、通信端末２０２→通信端末２０８→通信端末２０６→通信端末２０２とする場合、端末２０２は通信端末２０８と、通信端末２０８は通信端末２０６と、通信端末２０６は通信端末２０２と通信接続を希望することを載せた制御情報を、各通信端末の制御情報光信号送受信ボード４４から送出する。制御情報は、光分波器９０を介してネットワーク管理端末３０の制御信号光受信部３２によって受信され、その情報は、ネットワーク管理部３１に送られる。
【０１３９】
ネットワーク管理部３１では、上述した基本データベースを基に、各通信端末が接続されている光スイッチ６０２、６０６、６０８の入力ポートから入力するパケットフレーム信号を光合波器７０１〜７０８のうち、どの光合波器に出力すべきか、ネットワーク管理部３１のプロセッサ部３５において判断し、光スイッチ制御部３３を介して、光スイッチ６０２、６０６、６０８の入力ポートから入力するパケットフレーム信号が所望の光合波器７０１〜７０８の入力側に出力されるようにする制御する。また、同時に各通信端末の波長可変光源内蔵の光トランシーバ４７の波長可変光源が設定すべき波長を、波長可変光源の波長に関する制御情報光信号としてネットワーク管理端末３０の制御信号光送信部３４を介して通信端末の制御情報光信号送受信ボード４４に送る。各通信端末は、ネットワーク管理端末３０から送られてくる波長可変光源の波長に関する情報を受けて、波長可変光源の波長を定められた波長に設定する。
【０１４０】
次に、情報共有グループＡと情報共有グループＢの２つの論理的リングトポロジが形成されている状態における光パケットフレームの流れを説明する。初めに、情報共有グループＡの光パケットフレームの流れについて説明する。
通信端末２０１から出力された光パケットフレーム信号は、光スイッチ６０１、光合波器７０１、パス設定回路１０１の入力ポート１１、パス設定回路の出力ポート２３、光合波器９１を経て、通信端末２０３の共有メモリボード４３の光トランシーバ４７によって受信される。ここで、通信端末２０１から出力された光パケットフレーム信号の波長は、パス設定回路１０１の波長ルーティング特性（図２９）に基づきλ３に設定されている。通信端末２０１から送出され、通信端末２０３の光トランシーバ４７によって受信された光パケットフレーム信号は、通信端末２０３のフレーム転送処理回路４３２において処理をした後に、光トランシーバ４７から光パケットフレーム信号として出力する。
【０１４１】
通信端末２０３から出力された光パケットフレーム信号は、光スイッチ６０３、光合波器７０３、パス設定回路１０１の入力ポート１３、パス設定回路の出力ポート２４、光合波器９１を経て、通信端末２０４の共有メモリボード４３の光トランシーバ４７によって受信される。ここで、通信端末２０３から出力された光パケットフレーム信号の波長は、パス設定回路１０１の波長ルーティング特性（図２９）に基づきλ２に設定されている。通信端末２０３から送出され、通信端末２０４の光トランシーバ４７によって受信された光パケットフレーム信号は、通信端末２０４のフレーム転送処理回路４３２において処理をした後に、光トランシーバ４７から光パケットフレーム信号として出力する。
【０１４２】
通信端末２０４から出力された光パケットフレーム信号は、光スイッチ６０４、光合波器７０５、パス設定回路１０２の入力ポート１５、パス設定回路の出力ポート２７、光合波器９１を経て、通信端末２０７の共有メモリボード４３の光トランシーバ４７によって受信される。ここで、通信端末２０４から出力された光パケットフレーム信号の波長は、パス設定回路１０２の波長ルーティング特性（図３０）に基づきλ３に設定されている。通信端末２０４から送出され、通信端末２０７の光トランシーバ４７によって受信された光パケットフレーム信号は、通信端末２０７のフレーム転送処理回路４３２において処理をした後に、光トランシーバ４７から光パケットフレーム信号として出力する。
【０１４３】
通信端末２０７から出力された光パケットフレーム信号は、光スイッチ６０７、光合波器７０７、パス設定回路１０２の入力ポート１７、パス設定回路の出力ポート２５、光合波器９１を経て、通信端末２０５の共有メモリボード４３の光トランシーバ４７によって受信される。ここで、通信端末２０７から出力された光パケットフレーム信号の波長は、パス設定回路１０２の波長ルーティング特性（図３０）に基づきλ３に設定されている。通信端末２０７から送出され、通信端末２０５の光トランシーバ４７によって受信された光パケットフレーム信号は、通信端末２０５のフレーム転送処理回路４３２において処理をした後に、光トランシーバ４７から光パケットフレーム信号として出力する。
【０１４４】
通信端末２０５から出力された光パケットフレーム信号は、光スイッチ６０５、光合波器７０４、パス設定回路１０１の入力ポート１４、パス設定回路の出力ポート２１、光合波器９１を経て、通信端末２０１の共有メモリボード４３の光トランシーバ４７によって受信される。ここで、通信端末２０５から出力された光パケットフレーム信号の波長は、パス設定回路１０１の波長ルーティング特性（図２９）に基づきλ４に設定されている。通信端末２０５から送出され、通信端末２０１の光トランシーバ４７によって受信された光パケットフレーム信号は、通信端末２０１のフレーム転送処理回路４３２において処理をした後に、光トランシーバ４７から光パケットフレーム信号として出力する。
【０１４５】
このように通信端末の接続が一巡することによって、通信端末２０１→通信端末２０３→通信端末２０４→通信端末２０７→通信端末２０５→通信端末２０１へとこれら通信端末の接続形態が論理的リングトポロジを形成することができる。
【０１４６】
次に、情報共有グループＢのパケットフレームの流れについて説明する。
まず、通信端末２０２から出力された光パケットフレーム信号は、光スイッチ６０２、光合波器７０６、パス設定回路１０２の入力ポート１６、パス設定回路の出力ポート２８、光合波器９１を経て、通信端末２０８の共有メモリボード４３の光トランシーバ４７によって受信される。ここで、通信端末２０１から出力された光パケットフレーム信号の波長は、パス設定回路１０２の波長ルーティング特性（図３０）に基づきλ１に設定されている。通信端末２０２から送出され、通信端末２０８の光トランシーバ４７によって受信された光パケットフレーム信号は、通信端末２０８のフレーム転送処理回路４３２において処理をした後に、光トランシーバ４７から光パケットフレーム信号として出力する。
【０１４７】
通信端末２０８から出力された光パケットフレーム信号は、光スイッチ６０８、光合波器７０８、パス設定回路１０２の入力ポート１８、パス設定回路の出力ポート２６、光合波器９１を経て、通信端末２０６の共有メモリボード４３の光トランシーバ４７によって受信される。ここで、通信端末２０８から出力された光パケットフレーム信号の波長は、パス設定回路１０２の波長ルーティング特性（図３０）に基づきλ１に設定されている。通信端末２０８から送出され、通信端末２０６の光トランシーバ４７によって受信された光パケットフレーム信号は、通信端末２０６のフレーム転送処理回路４３２において処理をした後に、光トランシーバ４７から光パケットフレーム信号として出力する。
【０１４８】
通信端末２０６から出力された光パケットフレーム信号は、光スイッチ６０６、光合波器７０２、パス設定回路１０１の入力ポート１２、パス設定回路の出力ポート２２、光合波器９１を経て、通信端末２０２の共有メモリボード４３の光トランシーバ４７によって受信される。ここで、通信端末２０６から出力された光パケットフレーム信号の波長は、パス設定回路１０１の波長ルーティング特性（図２９）に基づきλ３に設定されている。通信端末２０６から送出され、通信端末２０２の光トランシーバ４７によって受信された光パケットフレーム信号は、通信端末２０２のフレーム転送処理回路４３２において処理をした後に、光トランシーバ４７から光パケットフレーム信号として出力する。
【０１４９】
このように通信端末の接続が一巡することによって、通信端末２０２→通信端末２０６→通信端末２０８へとこれら通信端末の接続形態が論理的リングトポロジを形成することができる。
【０１５０】
前述した説明では、パス設定回路の光入力ポート、光出力ポートの対は４対で説明したが、パス設定回路の光入力ポート、光出力ポート対は４対に限らず、複数の対を有していればよい。また、ここでは、パス設定回路は同じ数の光入力ポート、光出力ポートで説明したが、それぞれのパス設定回路は異なる数の光入力ポート、光出力ポート対を有していてもよい。さらに、ここでは、２組のパス設定回路で構成したが、組の数に制限はない。
また、パス設定回路１０１〜１０２としては、石英系光導波路で作製された波長周回性アレイ導波路回折格子（ＡＷＧ: Arrayed Waveguide Grating）等が適用できるが、波長によって出力ポートを制御可能な波長ルーティングデバイスであれば、これに限らない。
また、１×５光スイッチ６０１〜６０８としては、石英系光導波路で作製されたマッハツエンダ型光スイッチ等が適用できるが、入力光信号を８方路のいずれかひとつに方路に出力できる機能を有する光デバイスであれば、これに限らない。
【０１５１】
（実施の形態１０）
次に、図３１を参照して、８個の通信端末２０１〜２０８を収容する光通信方式を使用して、各通信端末間で映像を共有する情報共有システムの他の構成を説明する。図３１において、６１１〜６１８は入力ポートが５個、出力ポートが１個の５×１光スイッチ、８０１〜８０８は入力ポートが１個、出力ポートが５個の１×５光分流器である。光分流器８０ｘ（ｘは、１〜８までの整数）の入力ポートは通信端末２０ｘと光ファイバで接続されており、光スイッチ８０ｘの出力ポートは、異なる５×１光スイッチ６１１〜６１８の入力ポートに光ファイバで１対１接続されている。すなわち、光分流器８０ｘの出力ポートは同一の光スイッチには接続されていない。また、５×１光スイッチ６１ｘ（ｘは、１〜４までの整数）の出力ポートは、それぞれパス設定回路１０１の光入力信号ポート１ｘに接続され、５×１光スイッチ６１ｙ（ｙは、５〜８までの整数）の出力ポートは、それぞれパス設定回路１０２の光入力信号ポート１ｙに接続されている。
【０１５２】
図３１に示す構成が、図２５に示す構成と異なる点は、図２５に示す構成において光スイッチ６０１〜６０８の位置に１×５光分流器が、光合波器７０１〜７０８の位置に５×１光スイッチが配置されている点であり、その他については、同様であり、情報共有グループ形成などの動作についても同様であるため、詳細な説明は省略する。
【０１５３】
なお、複数の通信端末間には、原則的に主従関係はないが、新たなパケットフレームを流し始めるタイミングを決定する機能、新たなパケットフレームを既に流れているパケットフレームに追加する場合に、追加するセグメントのサイズを監視する機能等を特定の通信端末に持たせるようにしてもよい。これにより、パケットフレームの衝突やパケットフレーム内に含まれる情報が通信端末内のメモリに格納できないという不具合の発生を回避することが可能となる。
【０１５４】
（実施の形態１１）
図２５に示す８個の通信端末を収容する光通信システムにおいて、障害が発生した場合の障害回避に関する実施の形態について説明する。各通信端末の構成は図２６と同じである。また、パス設定回路１０１、パス設定回路１０２の波長と光入出力ポートの関係は、それぞれ図２９、図３０のとおりである。
本発明の実施の形態１３において説明した動作手順により、通信端末２０１と通信端末２０３と通信端末２０４と通信端末２０５と通信端末２０７によって構成される論理的リングトポロジ情報共有（情報共有グループＡ）と、通信端末２０２と通信端末２０６と通信端末２０８によって構成される論理的リングトポロジ情報共有（情報共有グループＢ）が形成されている（図２５）。
本実施の形態では情報共有グループＡにおいて、光スイッチ６０１と光合波器７０１を結ぶ光ファイバが断線した場合に、どのように情報共有グループは障害箇所を回避し、情報共有の運用を継続するかについて説明する。
【０１５５】
＜障害検出の手順＞
情報共有グループＡにおいて、各通信端末の情報を伝達する光パケットフレームは、通信端末２０１→通信端末２０３→通信端末２０４→通信端末２０７→通信端末２０５→通信端末２０１の順に論理的リングトポロジ上を周回する。
通信端末２０１から送出される光パケットフレームは、光分波器９０、光スイッチ６０１、光合波器７０１、パス設定回路１０１の光入力ポート１１、パス設定回路１０１の光出力ポート２３、光合波器９１を経て通信端末２０３の共有メモリボード４３にある光トランシーバ４７の光受信器によって受信される。ここで、各光パケットフレーム信号間（図３３では符号６５で示されている）は、光パワーがゼロ（無信号状態）ではなく、情報としての意味をもたない光のビット列信号で埋められている。なお、このビット列信号はアイドル信号と呼ばれており、例えば、図３３のように“１０１０１０１０．．．．”の交番信号である。ここで“１”は光パワーがある状態、“０”は光パワーが無い状態である。ただし、図３３では説明の便宜上、“１”の状態、“０”の状態の持続時間が誇張して描かれている。
【０１５６】
光スイッチ６０１と光合波器７０１を結ぶ光ファイバが何らかの障害により断線した場合、通信端末２０３の光トランシーバ４７の光受信器に光信号が届かないために、光受信器は光信号の断を検知する。通信端末２０３は、光信号断検知情報を、通信端末２０３の制御情報光信号送受信ボード４４からネットワーク管理端末３０に通知する。
ネットワーク管理端末３０は、通信端末２０３が送出した光信号断検知情報を制御信号光受信部３２において受信し、プロセッサ部３５にその情報を送る。
ネットワーク管理端末３０は、通信端末２０３から光信号断検知情報を受信すると、通信端末２０３が所属する情報共有グループＡの他の通信端末（通信端末２０１、通信端末２０４、通信端末２０５、通信端末２０７）に対して、制御信号光送信部３４から、各通信端末の波長可変光源の光出力を停止させるための停止命令情報（以下、「光出力停止命令情報」と呼ぶ）を送信する。このとき、通信端末２０１、通信端末２０４、通信端末２０５、通信端末２０７のそれぞれの光トランシーバ４７の光受信器は光信号の断を検知するが、前述の光出力停止命令情報を受信しているので、光信号断検知の情報をネットワーク管理端末３０には送信しない。
【０１５７】
通信端末２０３は前述の光信号断検知情報を送出後、予め定められた時間ｔ１の後に、ネットワーク管理端末３０に対して、自身の光トランシーバ４７の光送信器の出力を遮断する旨の情報（以下、「自端末光送信器遮断情報」と呼ぶ）を送信する。通信端末２０３は前記の自端末光送信器遮断情報を送信した後、自身の光トランシーバ４７の出力を遮断する。
なお、時間ｔ１の値の決定方法について以下に説明する。
システム構築時において、通信端末が光信号断検知情報をネットワーク管理端末３０に送信する時点から、ネットワーク管理端末３０が光出力停止命令情報を制御信号光送信部３４から送出するまでに要する時間（Ｔ１とする）を、各通信端末ごとに事前に計測する。時間T１の最大値を時間T１Mとすると、時間ｔ１はｔ１＞Ｔ１Ｍを満足する値に設定する。
【０１５８】
通信端末２０３の光トランシーバ４７の出力を遮断後、通信端末２０４の光トランシーバ４７の光受信器に光信号が届かないために、通信端末２０４の光受信器は光信号の断を検知する。しかしながら、通信端末２０４はすでに光出力停止命令情報をネットワーク管理端末３０から受信しているので、光信号断検知の情報をネットワーク管理端末３０には送信しない。
この段階で、通信端末２０３が属する情報共有グループを構成するすべての通信端末の波長可変光源の光出力は停止している。
【０１５９】
次にネットワーク管理端末３０のプロセッサ部３５は、通信端末２０３の光トランシーバ４７の光受信器における光信号断の原因が以下の４つの場合のいずれであるのか特定する。
障害候補１：通信端末２０１とパス設定回路１０１の光入力ポート１１間のどこかで光ファイバが切断した。
障害候補２：通信端末２０１の光トランシーバ４７の光送信器が故障し、光信号が出力されなくなった。
障害候補３：パス設定回路１０１の光出力ポート２３と光合波器９１を結ぶ光ファイバが切断した。
障害候補４：光合波器９１と通信端末２０３を結ぶ光ファイバが切断した。
【０１６０】
ネットワーク管理端末３０はまず、通信端末２０３と光合波器９１を結ぶ光ファイバの状態（切断の有無）を確認するために、制御信号光送信部３４から返答要求メッセージを通信端末２０３に送出する（図３２のフローチャートのステップＳ１）。
ステップＳ１後、ネットワーク管理端末３０は予め設定されている時間ｔ２の間、通信端末２０３からの返答メッセージを待つ（ステップＳ２）。
なお、時間ｔ２の値の決定方法について以下に説明する。
システム構築時において、ネットワーク管理端末３０は通信端末に対して返答要求メッセージを送出し、返答要求メッセージを送出してから各通信端末の返答メッセージの到着するまでに要する時間（Ｔ２）を通信端末ごとに事前に計測する。Ｔ２の最大値をＴ２Ｍとすると、時間ｔ２はｔ２＞Ｔ２Ｍを満足する値に設定する。
【０１６１】
時間ｔ２の間に通信端末２０３から前記返答メッセージが送られてこなかった場合（ステップＳ３の判断結果がＮＯ）、ネットワーク管理端末３０は、光ファイバが断線している（上記の障害候補４である）と判断する（ステップＳ４）。
ステップＳ４後、ネットワーク管理端末３０は先の情報共有グループＡにおいて通信端末２０３以外の通信端末（通信端末２０１、通信端末２０４、通信端末２０５、通信端末２０７）で情報共有の運用を継続させるステップに移行する。
【０１６２】
すなわち、ネットワーク管理端末３０は、パス設定回路１０１とパス設定回路１０２のそれぞれの入出力ポートと波長の関係（図２９、図３０）に基づき、通信端末２０１に対して通信端末２０１の光トランシーバ４７の波長可変光源の出力波長をλ４に設定し光出力させるための波長設定情報を制御信号光送信部３４から送出し、通信端末２０４に対して通信端末２０４の光トランシーバ４７の波長可変光源の出力波長をλ３に設定し光出力させるための波長設定情報を制御信号光送信部３４から送出し、通信端末２０７に対して通信端末２０７の光トランシーバ４７の波長可変光源の出力波長をλ３に設定し光出力させるための波長設定情報を制御信号光送信部３４から送出し、通信端末２０５に対して通信端末２０５の光トランシーバ４７の波長可変光源の出力波長をλ４に設定し光出力させるための波長設定情報を制御信号光送信部３４から送出する（ステップＳ５）。
【０１６３】
この波長設定情報を受信した通信端末２０１、通信端末２０４、通信端末２０５、通信端末２０７は、それぞれの波長可変光源の波長をλ４、λ３、λ４、λ３に設定し光出力する（ステップＳ６）。
この結果、情報共有グループＡにおいて各通信端末の情報を伝達する光パケットフレームは、通信端末２０１→通信端末２０４→通信端末２０７→通信端末２０５→通信端末２０１の順に論理的リングトポロジ上を周回し、通信端末２０３を切り離した状態で、情報の共有を継続することができる。
【０１６４】
一方、所定の時間ｔ２の間に通信端末２０３から前記返答メッセージが送られてきた場合（ステップＳ３の判断結果がＹＥＳ）には、ネットワーク管理端末３０は、光ファイバは断線していないと判断する（ステップＳ７）。
次にネットワーク管理端末３０は制御信号光送信部３４から通信端末２０３に対して、自身の波長可変光源の出力波長を自身の通信端末２０３に戻る波長すなわちλ１（図２９に基づく）に設定し、光出力する命令情報（以下、「ループバック波長出力命令」と呼ぶ）を送信する（ステップＳ８）。
通信端末２０３は、ネットワーク管理端末３０よりループバック波長出力命令を受信すると、自身の波長可変光源の波長をλ１に設定し、光信号（以下、「ループバック光信号」と呼ぶ）を送出する（ステップＳ９）。
【０１６５】
通信端末２０３の光トランシーバ４７の光受信器が前記ループバック光信号を受信した場合（ステップＳ１０の判断結果がＹＥＳ）、通信端末２０３はループバック光信号受信情報をネットワーク管理端末３０に送信する（ステップＳ１１）。
ネットワーク管理端末３０は、前記ループバック光受信情報を受信することにより、障害は上記の障害候補３でも障害候補４でもないと判断する（ステップＳ１２）。
ステップＳ１２の結果を受けてネットワーク管理端末３０は、障害が通信端末２０１からパス設定回路１０１の光入力ポート１１の間で発生したか、通信端末２０１の光トランシーバ４７の光送信器が故障し、光が出力されなくなったと判断する（ステップＳ１３）。
【０１６６】
ステップＳ１３後、ネットワーク管理端末３０は通信端末２０１以外の通信端末で情報共有グループＡの運用を継続するようにするために、パス設定回路１０１およびパス設定回路１０２の入出力ポートと波長の関係（図２９、図３０）に基づいて、通信端末２０３、通信端末２０４、通信端末２０５、通信端末２０７に対して、各通信端末の波長可変光源の波長をそれぞれλ２、λ３、λ２、λ３にし、光出力する命令情報を送出する（ステップＳ１４）。
各通信端末はこの命令情報を受信すると、各自身の波長可変光源を命令情報に基づく波長に設定し光信号を出力する（ステップＳ１５）。
ステップＳ１５後、情報共有グループＡにおいては各通信端末の情報を伝達する光パケットフレーム信号は、通信端末２０３→通信端末２０４→通信端末２０７→通信端末２０５→通信端末２０３の順に論理的リングトポロジ上を周回し、情報共有の運用を継続することが可能となる。
【０１６７】
一方、通信端末２０３の光トランシーバ４７の光受信器が前記ループバック光信号を受信できなかった場合（ステップＳ１０の判断結果がＮＯ）、通信端末２０３はループバック光信号を受信できなかったことを示す情報をネットワーク管理端末３０に送信する（ステップＳ１６）。
ネットワーク管理端末３０は、前記情報を受信することにより、障害は上記の障害候補４と判断する（ステップＳ１７）。
ステップＳ１７後、ネットワーク管理端末３０は通信端末２０３以外の通信端末で情報共有グループＡの運用を継続するようにするために、パス設定回路１０１およびパス設定回路１０２の入出力ポートと波長の関係（図２９、図３０）に基づいて、通信端末２０１、通信端末２０４、通信端末２０５、通信端末２０７に対して、各通信端末の波長可変光源の波長をそれぞれλ４、λ３、λ２、λ４にし光出力する命令情報を送出する（ステップＳ１８）。
各通信端末は、この命令情報を受信すると、各自身の波長可変光源を命令情報に基づく波長に設定し、光パケットフレーム信号を出力する（ステップＳ１９）。
【０１６８】
これにより、情報共有グループＡにおいて、各通信端末の情報を伝達する光パケットフレームは、通信端末２０１→通信端末２０４→通信端末２０７→通信端末２０５→通信端末２０１の順に論理的リングトポロジ上を周回し、情報共有の運用を継続することが可能となる。
【０１６９】
以上説明した手順により、情報共有グループＡにおいて光スイッチ６０１と光合波器７０１を結ぶ光ファイバが断線した場合に、情報共有グループは障害箇所を回避し、情報共有の運用を継続する。
【０１７０】
以上説明したように、アレイ導波路回折格子の波長ルーティング特性と波長可変光源を使用して、論理的な論理的リングトポロジを形成するようにしたため、論理的リングトポロジを構成する通信端末のうちの１個に何らかの原因で障害が発生した場合にも、ルーティングを変更することによりこの障害発生端末を迂回して新たな論理的リングトポロジを容易に形成することができる。また、通信端末の論理的なグルーピングが可能となるとともに、このグルーピングをダイナミックに変更することや新たなグルーピングを行うことを容易に実施することが可能となる。
【０１７１】
なお、上述した実施の形態１１では、実施の形態５〜１０で説明したような複数個の波長パス設定回路を備えた光通信システム上に適用する場合を例に挙げてネットワーク管理端末３０を主体とした制御系の構成および動作について説明した。しかしながら、上述した制御系が行う制御のうち、光スイッチ６０１〜６０８に係る制御を省くことで、実施の形態１〜４で説明したような波長パス設定回路を１個だけ用いた光通信システムにも同様に適用することができる。
【産業上の利用可能性】
【０１７２】
本発明による光通信方式を用いることによって、各端末間における情報共有を行うことが不可欠な用途にも適用でき、例えば、下記に示すシステム等に応用可能である。
（１）病院内高品質画像共有システム、ＣＡＤデータリアルタイム編集、放送局映像ソースリアルタイム編集等のイントラネット内画像共有システム。
（２）生産ライン管理システム、プロセス管理システム等のＦＡ用情報共有システム。
（３）オンライン分散処理、コンピュータクラスタリング（ＣＰＵ間の協調作業）等の分散処理システム。
（４）原子力プラント監視、銀行窓口監視等のモニタリングシステム。
【図面の簡単な説明】
【０１７３】
【図１】本発明の実施形態を示す、波長パス設定回路を利用した光通信方式を説明するブロック図である。
【図２】本発明に適用するパス設定回路の構成を説明する図である。
【図３】本発明に適用するパス設定回路の波長特性を説明する図である。
【図４】本発明に適用するパス設定回路の波長特性を説明する図である。
【図５】本発明の実施形態を示す、波長パス設定回路を利用した光通信方式を説明するブロック図である。
【図６】本発明の実施形態を示す、パス設定回路の接続に通信端末、中継器を利用する光通信方式の構成を説明するブロック図である。
【図７】本発明に適用するパス設定回路の構成を説明する図である。
【図８】本発明に適用するパス設定回路の波長特性を説明する図である。
【図９】本発明に適用するパス設定回路の波長特性を説明する図である。
【図１０】本発明の実施形態を示す、波長パス設定回路を利用した光通信方式を説明するブロック図である。
【図１１】本発明の実施形態を示す、波長パス設定回路と光スイッチを利用した光通信方式を説明するブロック図である。
【図１２】本発明の実施形態である、波長パス設定回路と光スイッチを利用した光通信方式の論理的な接続を説明する図である。
【図１３】本発明に適用するパス設定回路の構成を説明する図である。
【図１４】本発明に適用するパス設定回路の波長特性を説明する図である。
【図１５】本発明に適用するパス設定回路の波長特性を説明する図である。
【図１６】本発明の実施形態を示す、波長パス設定回路と光スイッチを利用した光通信方式を説明するブロック図である。
【図１７】本発明の実施形態を示す、一部の通信端末を中継器に置き換えた光通信方式を説明するブロック図である。
【図１８】本発明に適用するパス設定回路の構成を説明する図である。
【図１９】本発明に適用するパス設定回路の波長特性を説明する図である。
【図２０】本発明に適用するパス設定回路の波長特性を説明する図である。
【図２１】本発明の実施形態を示す、波長パス設定回路と光スイッチを利用した光通信方式を説明するブロック図である。
【図２２】本発明の実施形態である、波長パス設定回路と光スイッチを利用した光通信方式の論理的な接続を説明する図である。
【図２３】情報共有システムの基本概念を示す図である。
【図２４】パケットフレームの構成を示す図である。
【図２５】情報共有システムの全体構成を示す図である。
【図２６】図２５に示す通信端末２０１の構成を示す図である。
【図２７】図２６に示す共有メモリボード４３の構成を示す図である。
【図２８】図２５に示すネットワーク管理端末３０の構成を示す図である。
【図２９】パス設定回路１０１の波長と入出力ポートとの関係を示した波長ルーティング特性を示す図である。
【図３０】パス設定回路１０２の波長と入出力ポートとの関係を示した波長ルーティング特性を示す図である。
【図３１】情報共有システムの全体構成を示す図である。
【図３２】障害検出の動作を示すフローチャートである。
【図３３】パケットフレームの構成を示す図である。
【符号の説明】
【０１７４】
１０１〜１０３：パス設定回路
２０１〜２０８：通信端末
３０１〜３０８：通信端末２０１〜２０８の出力回路
４０１〜４０８：通信端末２０１〜２０８の入力回路
５０１、５０２：中継器
６０１〜６０８：光スイッチ
７０１〜７０８：光合波器
８０１〜８０８：光分流器
９０１〜９０８：光スイッチ
４０：コンピュータ端末
４１：通信端末管理部
４２：波長可変光源制御部
４３：共有メモリボード
４３１：共有メモリ
４３２：フレーム転送処理回路
４４：制御情報光信号送受信ボード
４５：ビデオ信号取込ボード
４６：画像撮影用カメラ
４７：波長可変光源内蔵光トランシーバ
４８：映像データ信号処理部
４９：プロセッサ部
５０：記憶媒体
５１：映像モニタ
５２：光トランシーバ
５３：光合波器
５４：光分波器
６０：パケットフレーム
６１〜６４：通信端末の情報を格納したパケットフレーム内のデータセグメント
７０：フレームヘッダ
８１〜８４：セグメントヘッダ
１１〜１８：光信号入力ポート
２１〜２８：光信号出力ポート
３０：ネットワーク管理端末
３１：ネットワーク管理部
３２：制御信号光受信部
３３：光スイッチ制御部
３４：制御信号光送信部
３５：プロセッサ部
３６：制御信号入出力インタフェース
３７：記憶媒体
９０：光分波器
９１：光合波器
６５：アイドル信号
【図１】
2005117603.tif 000003
【図２】
2005117603.tif 000004
【図３】
2005117603.tif 000005
【図４】
2005117603.tif 000006
【図５】
2005117603.tif 000007
【図６】
2005117603.tif 000008
【図７】
2005117603.tif 000009
【図８】
2005117603.tif 000010
【図９】
2005117603.tif 000011
【図１０】
2005117603.tif 000012
【図１１】
2005117603.tif 000013
【図１２】
2005117603.tif 000014
【図１３】
2005117603.tif 000015
【図１４】
2005117603.tif 000016
【図１５】
2005117603.tif 000017
【図１６】
2005117603.tif 000018
【図１７】
2005117603.tif 000019
【図１８】
2005117603.tif 000020
【図１９】
2005117603.tif 000021
【図２０】
2005117603.tif 000022
【図２１】
2005117603.tif 000023
【図２２】
2005117603.tif 000024
【図２３】
2005117603.tif 000025
【図２４】
2005117603.tif 000026
【図２５】
2005117603.tif 000027
【図２６】
2005117603.tif 000028
【図２７】
2005117603.tif 000029
【図２８】
2005117603.tif 000030
【図２９】
2005117603.tif 000031
【図３０】
2005117603.tif 000032
【図３１】
2005117603.tif 000033
【図３２】
2005117603.tif 000034
【図３３】
2005117603.tif 000035